(57)【要約】【課題】誤封印を未然に防止すると共に、封印する必要がある場合には容易に封印可能とすることができる封印構造を提供する。【解決手段】封印構造２１０は、係合位置において互いに係合可能に構成された係合部材２１２および被係合部材２１４を備え、少なくとも係合部材２１２または被係合部材２１４のいずれか一方には、互いの係合を妨害する係合妨害部が一体的に形成され、係合妨害部を除去した場合に、係合部材２１２および被係合部材２１４の係合が可能となると共に、少なくとも係合部材２１２または被係合部材２１４のいずれか一方を破壊しない限り係合を解除不可能となるように構成されている。【選択図】図３
2009195508.tif 000002
【特許請求の範囲】
【請求項１】
係合位置において互いに係合可能に構成された係合部材および被係合部材を備え、
少なくとも前記係合部材または前記被係合部材のいずれか一方には、互いの係合を妨害する係合妨害部が一体的に形成され、
前記係合妨害部を除去した場合に、前記係合部材および前記被係合部材の係合が可能となると共に、少なくとも前記係合部材または前記被係合部材のいずれか一方を破壊しない限り係合を解除不可能となるように構成されていることを特徴とする、封印構造。
【請求項２】
前記係合部材は、当接面を備え、
前記被係合部材は、前記当接面と当接することで前記係合部材および前記被係合部材の係合の解除を不可能とする被当接面を備え、
前記係合妨害部は、前記係合部材および前記被係合部材が前記係合位置にある場合に、前記係合部材または前記被係合部材の一部と当接することによって、少なくとも前記当接面または前記被当接面のいずれか一方を互いに当接不可能な位置に配置するように形成されていることを特徴とする、
請求項１に記載の封印構造。
【請求項３】
前記係合妨害部は、前記係合部材および前記被係合部材が前記係合位置にある場合に、前記被係合部材の一部と当接することによって、前記被当接面を前記当接面と当接不可能な位置に配置するように、前記係合部材に形成されていることを特徴とする、
請求項２に記載の封印構造。
【請求項４】
前記係合妨害部は、前記係合部材および前記被係合部材が前記係合位置にある場合に、前記係合部材の一部と当接することによって、前記被当接面を前記当接面と当接不可能な位置に配置するように、前記被係合部材に形成されていることを特徴とする、
請求項２に記載の封印構造。
【請求項５】
前記係合部材は、当接面を備え、
前記被係合部材は、前記当接面と当接することで前記係合部材および前記被係合部材の係合の解除を不可能とする被当接面を備え、
前記係合妨害部は、前記係合部材および前記被係合部材を前記係合位置から離隔させる場合に、前記係合部材または前記被係合部材の一部と当接することによって、少なくとも前記当接面または前記被当接面のいずれか一方を互いに当接不可能な位置に誘導するように形成されていることを特徴とする、
請求項１に記載の封印構造。
【請求項６】
前記係合妨害部は、前記係合部材および前記被係合部材を互いに離隔させる場合に、前記被係合部材の一部と当接することによって、前記被当接面を前記当接面と当接不可能な位置に誘導するように、前記係合部材に形成されていることを特徴とする、
請求項５に記載の封印構造。
【請求項７】
前記係合妨害部は、前記係合部材および前記被係合部材を互いに離隔させる場合に、前記係合部材の一部と当接することによって、前記被当接面を前記当接面と当接不可能な位置に誘導するように、前記被係合部材に形成されていることを特徴とする、
請求項５に記載の封印構造。
【請求項８】
前記係合部材は、当接面を備え、
前記被係合部材は、前記当接面と当接することで前記係合部材および前記被係合部材の係合の解除を不可能とする被当接面を備え、
少なくとも前記係合部材または前記被係合部材のいずれか一方には、前記係合妨害部が形成され、
前記係合部材または前記被係合部材のいずれか他方には、前記係合部材および前記被係合部材を前記係合位置から離隔させる場合に、前記係合妨害部と当接することによって前記当接面または前記被当接面を互いに当接不可能な位置に誘導する誘導部が形成されていることを特徴とする、
請求項１に記載の封印構造。
【請求項９】
前記係合妨害部は、前記被係合部材に形成され、
前記誘導部は、前記係合部材および前記被係合部材を前記係合位置から離隔させる場合に、前記係合妨害部と当接することによって前記被当接面を前記当接面と当接不可能な位置に誘導するように、前記係合部材に形成されていることを特徴とする、
請求項８に記載の封印構造。
【請求項１０】
前記係合妨害部は、前記係合部材に形成され、
前記誘導部は、前記係合部材および前記被係合部材を前記係合位置から離隔させる場合に、前記係合妨害部と当接することによって前記当接面を前記被当接面と当接不可能な位置に誘導するように、前記被係合部材に形成されていることを特徴とする、
請求項８に記載の封印構造。
【請求項１１】
前記係合妨害部は、自身が除去される場合に破断される破断部を備え、
前記破断部は、前記係合部材と前記被係合部材が互いに当接して係合の解除を不可能とする面以外の面に破断面が生じるように形成されていることを特徴とする、
請求項１乃至１０のいずれかに記載の封印構造。
【請求項１２】
前記係合位置にある前記係合部材および前記被係合部材を覆うカバーをさらに備え、
前記カバーは、前記係合部材と一体的に形成された第１カバー部材、および前記被係合部材と一体的に形成された第２カバー部材からなり、
前記第１カバー部材および前記第２カバー部材は、前記係合部材および前記被係合部材が前記係合位置にある場合に、前記第１カバー部材または前記第２カバー部材のいずれか一方に形成された開口部が、前記第１カバー部材または前記第２カバー部材のいずれか他方に形成された閉塞部によって塞がれるように形成されていることを特徴とする、
請求項１乃至１１のいずれかに記載の封印構造。
【請求項１３】
前記係合妨害部は、前記係合部材または前記被係合部材と当接する部分が他の部分よりも太く形成されていることを特徴とする、
請求項１乃至１２のいずれかに記載の封印構造。
【請求項１４】
遊技台の回路基板を収納する基板ケースの封印に用いられることを特徴とする、
請求項１乃至１３のいずれかに記載の封印構造。
【請求項１５】
遊技台の回路基板を収納した基板ケースの前記遊技台からの取り外しを封印するために用いられることを特徴とする、
請求項１乃至１３のいずれかに記載の封印構造。
【請求項１６】
遊技台の回路基板に取り付けられた電子部品の前記回路基板からの取り外しを封印するために用いられることを特徴とする、
請求項１乃至１３のいずれかに記載の封印構造。
【請求項１７】
遊技台の回路基板が備えるコネクタの封印に用いられることを特徴とする、
請求項１乃至１３のいずれかに記載の封印構造。
【請求項１８】
係合位置において互いに係合可能に構成された係合部材および被係合部材を備え、
少なくとも前記係合部材または前記被係合部材のいずれか一方には、互いの係合を妨害する係合妨害部が設けられ、
前記係合妨害部を除去した場合に、前記係合部材および前記被係合部材の係合が可能となると共に、少なくとも前記係合部材または前記被係合部材のいずれか一方を破壊しない限り係合を解除不可能となるように構成された複数の封印構造からなることを特徴とする、封印構造。
【請求項１９】
前記複数の封印構造のうちの少なくとも１つは、予め前記係合妨害部が除去されていることを特徴とする、
請求項１８に記載の封印構造。
【請求項２０】
前記係合妨害部は、前記係合部材または前記被係合部材に一体的に形成されていることを特徴とする、
請求項１８に記載の封印構造。
【発明の詳細な説明】
【技術分野】
【０００１】
本発明は、各種容器の開封や部材の取り外し等を封印する封印構造に関する。
【背景技術】
【０００２】
従来、スロットマシンに代表される遊技台は、所定の遊技媒体を投入し、スタートレバー操作を行うことで複数の図柄が描かれた複数のリールを回転させると共に遊技者に利益を与えるか否かの抽選を行い、複数のリールの各々に対応するストップボタン操作を行うことで抽選結果に応じた位置でリールを停止し、全てのリール停止後の図柄の表示に応じて遊技者に与える利益を決定している。このような遊技台において、不正防止目的のために、封印構造（かしめ）を備えていずれかの遊技部品を破壊しない限り開封不能にした基板ケースを備えた遊技台が提供されている（例えば、特許文献１参照）。
【特許文献１】特開２００５−１５２２９７号公報
【発明の開示】
【発明が解決しようとする課題】
【０００３】
しかしながら、特許文献１に記載の遊技台においては、封印（かしめ）を行いたくない場合に誤って封印を行ってしまう場合があるという問題があった。
【０００４】
本発明は、このような問題点を解決するためになされたものであって、誤封印を未然に防止すると共に、封印する必要がある場合には容易に封印可能とすることができる封印構造を提供しようとするものである。
【課題を解決するための手段】
【０００５】
（１）本発明は、係合位置において互いに係合可能に構成された係合部材および被係合部材を備え、少なくとも前記係合部材または前記被係合部材のいずれか一方には、互いの係合を妨害する係合妨害部が一体的に形成され、前記係合妨害部を除去した場合に、前記係合部材および前記被係合部材の係合が可能となると共に、少なくとも前記係合部材または前記被係合部材のいずれか一方を破壊しない限り係合を解除不可能となるように構成されていることを特徴とする、封印構造である。
【０００６】
（２）本発明はまた、前記係合部材は、当接面を備え、前記被係合部材は、前記当接面と当接することで前記係合部材および前記被係合部材の係合の解除を不可能とする被当接面を備え、前記係合妨害部は、前記係合部材および前記被係合部材が前記係合位置にある場合に、前記係合部材または前記被係合部材の一部と当接することによって、少なくとも前記当接面または前記被当接面のいずれか一方を互いに当接不可能な位置に配置するように形成されていることを特徴とする、上記（１）に記載の封印構造である。
【０００７】
（３）本発明はまた、前記係合妨害部は、前記係合部材および前記被係合部材が前記係合位置にある場合に、前記被係合部材の一部と当接することによって、前記被当接面を前記当接面と当接不可能な位置に配置するように、前記係合部材に形成されていることを特徴とする、上記（２）に記載の封印構造である。
【０００８】
（４）本発明はまた、前記係合妨害部は、前記係合部材および前記被係合部材が前記係合位置にある場合に、前記係合部材の一部と当接することによって、前記被当接面を前記当接面と当接不可能な位置に配置するように、前記被係合部材に形成されていることを特徴とする、上記（２）に記載の封印構造である。
【０００９】
（５）本発明はまた、前記係合部材は、当接面を備え、前記被係合部材は、前記当接面と当接することで前記係合部材および前記被係合部材の係合の解除を不可能とする被当接面を備え、前記係合妨害部は、前記係合部材および前記被係合部材を前記係合位置から離隔させる場合に、前記係合部材または前記被係合部材の一部と当接することによって、少なくとも前記当接面または前記被当接面のいずれか一方を互いに当接不可能な位置に誘導するように形成されていることを特徴とする、上記（１）に記載の封印構造である。
【００１０】
（６）本発明はまた、前記係合妨害部は、前記係合部材および前記被係合部材を互いに離隔させる場合に、前記被係合部材の一部と当接することによって、前記被当接面を前記当接面と当接不可能な位置に誘導するように、前記係合部材に形成されていることを特徴とする、上記（５）に記載の封印構造である。
【００１１】
（７）本発明はまた、前記係合妨害部は、前記係合部材および前記被係合部材を互いに離隔させる場合に、前記係合部材の一部と当接することによって、前記被当接面を前記当接面と当接不可能な位置に誘導するように、前記被係合部材に形成されていることを特徴とする、上記（５）に記載の封印構造である。
【００１２】
（８）本発明はまた、前記係合部材は、当接面を備え、前記被係合部材は、前記当接面と当接することで前記係合部材および前記被係合部材の係合の解除を不可能とする被当接面を備え、少なくとも前記係合部材または前記被係合部材のいずれか一方には、前記係合妨害部が形成され、前記係合部材または前記被係合部材のいずれか他方には、前記係合部材および前記被係合部材を前記係合位置から離隔させる場合に、前記係合妨害部と当接することによって前記当接面または前記被当接面を互いに当接不可能な位置に誘導する誘導部が形成されていることを特徴とする、上記（１）に記載の封印構造である。
【００１３】
（９）本発明はまた、前記係合妨害部は、前記被係合部材に形成され、前記誘導部は、前記係合部材および前記被係合部材を前記係合位置から離隔させる場合に、前記係合妨害部と当接することによって前記被当接面を前記当接面と当接不可能な位置に誘導するように、前記係合部材に形成されていることを特徴とする、上記（８）に記載の封印構造である。
【００１４】
（１０）本発明はまた、前記係合妨害部は、前記係合部材に形成され、前記誘導部は、前記係合部材および前記被係合部材を前記係合位置から離隔させる場合に、前記係合妨害部と当接することによって前記当接面を前記被当接面と当接不可能な位置に誘導するように、前記被係合部材に形成されていることを特徴とする、上記（８）に記載の封印構造である。
【００１５】
（１１）本発明はまた、前記係合妨害部は、自身が除去される場合に破断される破断部を備え、前記破断部は、前記係合部材と前記被係合部材が互いに当接して係合の解除を不可能とする面以外の面に破断面が生じるように形成されていることを特徴とする、上記（１）乃至（１０）のいずれかに記載の封印構造である。
【００１６】
（１２）本発明はまた、前記係合位置にある前記係合部材および前記被係合部材を覆うカバーをさらに備え、前記カバーは、前記係合部材と一体的に形成された第１カバー部材、および前記被係合部材と一体的に形成された第２カバー部材からなり、前記第１カバー部材および前記第２カバー部材は、前記係合部材および前記被係合部材が前記係合位置にある場合に、前記第１カバー部材または前記第２カバー部材のいずれか一方に形成された開口部が、前記第１カバー部材または前記第２カバー部材のいずれか他方に形成された閉塞部によって塞がれるように形成されていることを特徴とする、上記（１）乃至（１１）のいずれかに記載の封印構造である。
【００１７】
（１３）本発明はまた、前記係合妨害部は、前記係合部材または前記被係合部材と当接する部分が他の部分よりも太く形成されていることを特徴とする、上記（１）乃至（１２）のいずれかに記載の封印構造である。
【００１８】
（１４）本発明はまた、遊技台の回路基板を収納する基板ケースの封印に用いられることを特徴とする、上記（１）乃至（１３）のいずれかに記載の封印構造である。
【００１９】
（１５）本発明はまた、遊技台の回路基板を収納した基板ケースの前記遊技台からの取り外しを封印するために用いられることを特徴とする、上記（１）乃至（１３）のいずれかに記載の封印構造である。
【００２０】
（１６）本発明はまた、遊技台の回路基板に取り付けられた電子部品の前記回路基板からの取り外しを封印するために用いられることを特徴とする、上記（１）乃至（１３）のいずれかに記載の封印構造である。
【００２１】
（１７）本発明はまた、遊技台の回路基板が備えるコネクタの封印に用いられることを特徴とする、上記（１）乃至（１３）のいずれかに記載の封印構造である。
【００２２】
（１８）本発明はまた、係合位置において互いに係合可能に構成された係合部材および被係合部材を備え、少なくとも前記係合部材または前記被係合部材のいずれか一方には、互いの係合を妨害する係合妨害部が設けられ、前記係合妨害部を除去した場合に、前記係合部材および前記被係合部材の係合が可能となると共に、少なくとも前記係合部材または前記被係合部材のいずれか一方を破壊しない限り係合を解除不可能となるように構成された複数の封印構造からなることを特徴とする、封印構造である。
【００２３】
（１９）本発明はまた、前記複数の封印構造のうちの少なくとも１つは、予め前記係合妨害部が除去されていることを特徴とする、上記（１８）に記載の封印構造である。
【００２４】
（２０）本発明はまた、前記係合妨害部は、前記係合部材または前記被係合部材に一体的に形成されていることを特徴とする、上記（１８）に記載の封印構造である。
【発明の効果】
【００２５】
本発明に係る封印構造によれば、誤封印を未然に防止すると共に、封印する必要がある場合には容易に封印可能とすることができるという優れた効果を奏し得る。
【発明を実施するための最良の形態】
【００２６】
以下、図面を用いて、本発明の実施例に係るパチンコ機（遊技台）について詳細に説明する。
【実施例１】
【００２７】
＜全体構成＞
【００２８】
まず、図１を用いて、本発明の実施例に係るパチンコ機１００の全体構成について説明する。なお、同図はパチンコ機１００を正面（遊技者側）から見た状態を示す略示正面図である。
【００２９】
パチンコ機１００は、遊技領域１０４を覆う閉状態および該遊技領域１０４を開放する開状態のうちの一方から他方に開閉状態を変化可能な上扉１５０と、この上扉１５０の奥側に視認可能に配設された遊技盤(盤面)１０２を備えている。この遊技盤１０２には、遊技球（以下、単に球と称する場合がある。）を遊技盤１０２の中央に位置する遊技領域１０４に案内するための外レール１０６と内レール１０８を配設している。
【００３０】
遊技領域１０４の中央やや上側には、横長の装飾図柄表示装置１１０を配設し、遊技領域１０４の右下には、普通図柄表示装置１１２と、特別図柄表示装置１１４と、普通図柄保留ランプ１１６と、特別図柄保留ランプ１１８とを配設している。なお、以下、普通図柄を普図、特別図柄を特図と称する場合がある。さらに、装飾図柄表示装置１１０の右下方には高確中ランプ１２０を配設し、装飾図柄表示装置１１０の左方から下方にかけては、ワープ装置１２１を配設している。
【００３１】
装飾図柄表示装置１１０は、装飾図柄（図１０（ｂ）参照）を表示するための表示装置であり、本実施例では液晶表示装置によって構成する。この装飾図柄表示装置１１０は、左図柄表示領域１１０ａ、中図柄表示領域１１０ｂ、右図柄表示領域１１０ｃの３つの表示領域に分割し、各々の表示領域１１０ａ、１１０ｂ、１１０ｃに異なった装飾図柄を表示することを可能としている。
【００３２】
普図表示装置１１２は、普図（図１０（ｃ）参照）の表示を行うための表示装置であり、本実施例では７セグメントＬＥＤによって構成する。特図表示装置１１４は、特図（図１０（ａ）参照）の表示を行うための表示装置であり、本実施例では７セグメントＬＥＤによって構成する。
【００３３】
普図保留ランプ１１６は、保留している普図変動遊技（詳細は後述）の数を示すためのランプであり、本実施例では、普図変動遊技の開始を２つまで保留することを可能としている。特図保留ランプ１１８は、保留している特図変動遊技（詳細は後述）の数を示すためのランプであり、本実施例では、特図変動遊技の開始を４つまで保留することを可能としている。
【００３４】
高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００３５】
ワープ装置１２１は、装飾図柄表示装置１１０の左方で左上方に向けて開口する入球口に入球した遊技球を後述する第１特図始動口１２６および第２特図始動口１２８の上方の排出口から排出するものである。従って、このワープ装置１２１を通過した遊技球は、第１特図始動口１２６または第２特図始動口１２８に高い確率で入球するようになっている。
【００３６】
また、これらの表示装置やランプ等の周囲には、一般入賞口１２２と、普図始動口１２４と、第１特図始動口１２６と、第２特図始動口１２８と、可変入賞口１３０を配設している。
【００３７】
一般入賞口１２２は、本実施例では左右に２つずつ配設しており、この一般入賞口１２２への入球を所定の球検出センサ（図示省略）が検出した場合（一般入賞口１２２に入賞した場合）、後述する払出装置を駆動し、所定の個数（本実施例では１０個）の球を賞球として後述する貯留皿１７１に排出する。貯留皿１７１に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を賞球、遊技者に貸し出す球を貸球と区別して呼ぶ場合があり、賞球と貸球を総称して球（遊技球）と呼ぶ。
【００３８】
普図始動口１２４は、ゲートやスルーチャッカーと呼ばれる、遊技領域１０４の所定の領域を球が通過したか否かを判定するための装置で構成しており、本実施例では左右に１つずつ配設している。普図始動口１２４を通過した球は一般入賞口１２２に入球した球と違って、遊技島側に排出することはない。球が普図始動口１２４を通過したことを所定の球検出センサが検出した場合、パチンコ機１００は、普図表示装置１１２による普図変動遊技を開始する。
【００３９】
第１特図始動口１２６は、本実施例では中央に１つだけ配設している。この第１特図始動口１２６への入球を所定の球検出センサが検出した場合、後述する払出装置を駆動し、所定の個数（本実施例では３個）の球を賞球として後述する貯留皿１７１に排出するとともに、特図表示装置１１４による特図変動遊技を開始する。なお、第１特図始動口１２６に入球した球は、パチンコ機１００の裏側に誘導した後、遊技島側に排出する。
【００４０】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置を駆動し、所定の個数（本実施例では５個）の球を賞球として後述する貯留皿１７１に排出するとともに、特図表示装置１１４による特図変動遊技を開始する。なお、第２特図始動口１２８に入球した球は、パチンコ機１００の裏側に誘導した後、遊技島側に排出する。
【００４１】
可変入賞口１３０は、大入賞口またはアタッカーと呼ばれ、本実施例では遊技領域１０４の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置を駆動し、所定の個数（本実施例では１５球）の球を賞球として後述する貯留皿１７１に排出する。なお、可変入賞口１３０に入球した球は、パチンコ機１００の裏側に誘導した後、遊技島側に排出する。
【００４２】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００４３】
上扉１５０の下方には、上扉１５０同様に開閉状態を変化可能な下扉１６０を配設している。下扉１６０の後方（遊技盤１０２の下方）には、後述する発射モータによって回動する発射杆（図示省略）と、この発射杆の先端部に取り付けられて球を遊技領域１０４に向けて打ち出す発射槌（図示省略）と、この発射槌によって打ち出された球を外レール１０６に導くための発射レール（図示省略）と、この発射レールに発射槌によって打ち出す球を供給する球送り装置（図示省略）等が配設されている。
【００４４】
そして、下扉１６０には、球を一時的に貯留すると共に、貯留している球を順次、球送り装置に供給するための貯留皿１７１と、発射杆を制御して遊技領域１０４に向けて球の発射強度の操作を行うための操作ハンドル１７２と、遊技者による押下操作が可能であり、所定の時期にその操作を検出した場合に上述の装飾図柄表示装置１１０などによる演出表示を変化させるためのチャンスボタン１７３と、遊技者が貸球の貸し出しを受ける場合に押下される球貸しボタン１７４と、貯留皿１７１に貯留できない球を別の容器に排出するための下部排出口１７５と、後述する払出通路から下部排出口１７５に繋がる通路を開閉するための球抜きレバー１７６を配設している。
【００４５】
また、演出用のスピーカとして、上扉１５０の上部に２つの上部スピーカ１５０ａを配設すると共に、下扉１６０の左側内部に１つの下部スピーカ１６０ａを配設している。上部スピーカ１５０ａは、直前の上部スピーカダクトに接続され、下部スピーカ１６０ａは、操作ハンドル１７２の下方で前方に向けて開口する下部スピーカダクト１６０ｂに接続されている。
【００４６】
さらに、図示は省略するが、装飾用のランプとして、遊技盤１０２の所定箇所（例えば、内レール１０８の内周側に沿った箇所）に複数種類の盤ランプを配設すると共に、上扉１５０および下扉１６０の所定箇所に複数種類の枠ランプを配設している。
【００４７】
このパチンコ機１００は、遊技者が貯留皿１７１に貯留している球を発射レールの発射位置に供給し、遊技者の操作ハンドル１７２の操作量に応じた強度で発射モータを駆動し、発射杆および発射槌によって外レール１０６、内レール１０８を通過させて遊技領域１０４に打ち出す。そして、遊技領域１０４の上部に到達した球は、打球方向変換部材１３２や遊技釘１３４などによって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００４８】
図２は、パチンコ機１００を背面（遊技島側）から見た状態を示した外観斜視図である。同図に示されるように、パチンコ機１００は、遊技島に固定される部材である外枠１８０と、この外枠１８０の前方（遊技者側）に開状態と閉状態うちの一方から他方に開閉状態を変化可能、すなわち回転開閉可能に配設される内枠１８２を備えている。上述の上扉１５０および下扉１６０は、この内枠１８２の前方に回転開閉可能に配設されている。内枠１８２は、内枠支持ブラケット１８３を介して、パチンコ機１００の正面から見て左端部に設定された略鉛直方向の回転軸を中心として、外枠１８０に対して回転開閉可能となっている。また、上扉１５０および下扉１６０は、内枠支持ブラケット１８３を介して、内枠１８２の回転軸と同一の回転軸を中心として、内枠１８２に対して回転開閉可能となっている。
【００４９】
内枠１８２の表面（パチンコ機１００の正面側の面）側には上述の遊技盤１０２等が配設されている。そして、内枠１８２の裏面（パチンコ機１００の背面側の面）側上部には、遊技島から供給された遊技球を一時的に貯留するタンク１８４と、タンク１８４に貯留された遊技球を払出装置１８５に導く２条の通路であるタンクレール１８６が配設されている。払出装置１８５は、複数の遊技球を保持すると共に、所定の個数の賞球または貸球を貯留皿１７１に向けて払い出すものであり、パチンコ機１００の背面から見てタンクレール１８６の右側下方に配設されている。
【００５０】
タンクレール１８６の略真下には、後述する演出制御部を構成する演出制御基板１９０および装飾図柄表示装置１１０が前後に（内枠１８２の表面から裏面方向に）重ねられて配設されている。さらに、演出制御基板１９０および装飾図柄表示装置１１０の下方には、後述する主制御部を構成する主制御基板１９２およびその他の回路基板１９４が前後に（内枠１８２の表面から裏面方向に）重ねられて配設されており、さらにその下には、後述する払出制御部を構成する払出制御基板１９６および電源基板１９８が配設されている。主制御基板１９２は、封印構造を備えた基板ケース２００内に収納された状態で配設されている。
【００５１】
本実施例では、遊技の結果に影響を及ぼし、または及ぼすおそれがある機能を有する回路基板である主基板（主制御基板１９２、払出制御基板１９６等）を、内枠１８２を開いた状態で容易に視認可能な内枠１８２の最裏面に配設している。そして、主基板のうちマイクロプロセッサまたはＲＯＭが装着されていない副基板（電源基板１９８等）をこれら最裏面の主基板の前方に重ねて配設している。
＜基板ケース＞
【００５２】
次に、図３および４を用いて、主制御基板１９２が収納されている基板ケース２００について詳細に説明する。
【００５３】
図３（ａ）は基板ケース２００の外観斜視図であり、同図（ｂ）は基板ケース２００の分解斜視図である。これらの図に示されるように、基板ケース２００は、下蓋２０２および上蓋２０４から構成された薄い略直方体状の箱であり、内部には、主制御基板１９２が収納されている。そして、基板ケース２００には、下蓋２０２と上蓋２０４の分離を封印する、すなわち内部に収納された主制御基板１９２の取り外しを封印するための封印構造２１０が上部中央に設けられている。
【００５４】
下蓋２０２は、ブラケット等を介してその他の回路基板１９４に固定される部分であり、主制御基板１９２はこの下蓋２０２に固定されている。上蓋２０４は、外側（パチンコ機１００の裏面側）から主制御基板１９２を覆うようにして下蓋２０２と一体的に結合される。上蓋２０４は透明な素材から構成されており、基板ケース２００の外部から主制御基板を視認可能となっている。封印構造２１０は、同図（ｂ）に示されるように、下蓋２０２の上部に一体的に形成された係合部材２１２、および上蓋２０４の上部に一体的に形成された被係合部材２１４から構成されている。
【００５５】
なお、ここでは、下蓋２０２をその他の回路基板１９４に固定することで基板ケース２００を固定しているが、本実施例はこれに限られない。例えば、遊技盤１０２の背面に取り付けられ、少なくとも１以上の基板ケースを固定するための部材に固定する構成、遊技盤１０２の背面に直接取り付けることで固定する構成、内枠１８２に取り付けることで固定する構成など、基板ケース２００を固定している限りいずれの構成であってもよい。また、固定方法も、ネジ等で螺着する構成、ヒンジなどで一端を固定し他端を開放可能にする構成等、基板ケース２００の少なくとも一部を固定している限りいずれの構成であってもよい。
【００５６】
下蓋２０２には、下部に２つの係止溝２０６ａが形成され、上部に２つの係止穴２０８ａが形成されている。また、上蓋２０４には、下部に２つの係止突起２０６ｂが形成され、上部に２つの係止片２０８ｂが形成されている。図４（ａ）および（ｂ）は、下蓋２０２と上蓋２０４を結合させる様子を示した図である。下蓋２０２と上蓋２０４の結合は、下蓋２０２下部の２箇所に形成された下部係止溝２０６ａに、上蓋２０４下部の２箇所に形成された下部係止突起２０６ｂを係止させると共に、下蓋２０２上部の２箇所に形成された上部係止穴２０８ａに上蓋２０４上部の２箇所に形成された上部係止片２０８ｂを係止させることによって行われる。具体的には、同図（ａ）に示される状態から、まず同図（ｂ）に示されるように、下部係止溝２０６ａに下部係止突起２０６ｂを係止させる。そして、下部係止溝２０６ａに下部係止突起２０６ｂを係止させた状態のまま、上蓋２０４を下部係止突起２０６ｂを支点に回転させるようにして上蓋２０４の上部を下蓋２０２の上部に近づけ、上部係止片２０８ｂを上部係止穴２０８ａに挿入して係止させることによって、下蓋２０２と上蓋２０４は結合される。
【００５７】
下蓋２０２と上蓋２０４が結合した状態では、封印構造２１０の係合部材２１２は、被係合部材２１４の内部に大部分が挿入された状態となる。この状態では、係合部材２１２および被係合部材２１４は互いに係合可能な状態であり、本発明における係合位置に位置している。
＜封印構造＞
【００５８】
次に、図５〜８を用いて、封印構造２１０について詳細に説明する。
【００５９】
図５（ａ）は基板ケース２００の正面図であり、同図（ｂ）は同図（ａ）のＣ部拡大図である。本実施例の基板ケース２００は、３つの封印構造２１０を備えている。従って、３回の封印が可能となっている。なお、本実施例では、基板ケース２００の正面は上蓋２０４側であり、パチンコ機１００に基板ケース２００を取り付けた状態ではパチンコ機１００の背面（裏面）側に向いている。
【００６０】
図６（ａ）および（ｂ）は係合部材２１２の構造を示した図である。なお、図６（ａ）は、図４（ａ）のＡ方向矢視図であり、図６（ｂ）は図６（ａ）の斜視図である。係合部材２１２は、下蓋２０２の上部から上方に向けて突設された基端部２１２ａと、基端部２１２ａから上蓋２０４側に向けて突設された挿入部２１２ｂから構成されている。基端部２１２ａは、下蓋２０２と一体的に繋がる板状の部材である。ここで一体的とは、下蓋２０２と係合部材２１２とが同一の成型部品であることを指す。なお、同一の成型部品でなくてもよい。例えば、ネジ等で下蓋２０２に係合部材２１２を固定する構成でもよい。挿入部２１２ｂは、天板から両側壁が下方に向けて突出するように形成されたコの字状断面の部材であり、天板には開口部２１２ｃが形成されている。また、挿入部２１２ｂの天板の先端には、後述する被係合部材２１４の開口部を塞ぐ略直方体状の先端部２１２ｄが突設されている。
【００６１】
図６（ａ）および（ｂ）の左側および中央の係合部材２１２では、挿入部２１２ｂに１つの四角形状の開口部２１２ｃと、２つの略Ｌ字形状の開口部２１２ｃが形成されている。本実施例では、このように３つの開口部２１２ｃを設けることによって、略直方体状の係合妨害部２１２ｅを３つの開口部２１２ｃの間に形成している。すなわち、本実施例では、係合部材２１２と一体的に係合妨害部２１２ｅを形成している。係合妨害部２１２ｅは、左右両側および挿入部２１２ｂ基端側に形成された３つの接続部２１２ｆを介して挿入部２１２ｂと繋がっている。これらの接続部２１２ｆは、係合妨害部２１２ｅよりも細く（断面積を小さく）形成されている。従って、これら３つの接続部２１２ｆを切断することによって、係合妨害部２１２ｅを容易に係合部材２１２から除去することが可能となっている。
【００６２】
図６（ａ）および（ｂ）の右側の係合部材２１２では、挿入部２１２ｂに略Ｔ字形状の開口部２１２ｃが１つだけ形成されている。これは、予め係合妨害部２１２ｅを除去した状態で係合部材２１２を形成したものである。従って、図の左側および右側の係合部材２１２から係合妨害部２１２ｅを除去した場合にも図の右側の係合部材と同様の形状となる。このように係合妨害部２１２ｄを除去することによって開口部２１２ｃは略Ｔ字形状となり、側縁の２つの段差部分は、後述する被係合部材２１４の一部と当接して係合を解除不可能とする当接面２１２ｇとなる（詳細は後述する）。
【００６３】
図６（ｃ）〜（ｅ）は被係合部材２１４の構造を示した図である。なお、図６（ｃ）は図４（ａ）のＢ方向矢視図であり、図６（ｄ）は図５（ｂ）のＤ−Ｄ線断面図であり、図６（ｅ）は図６（ｄ）の斜視図である。被係合部材２１４は、上蓋２０４の上部に設けられた２つの脚部２１４ａと、脚部２１４ａの上方に設けられた外壁部２１４ｂと、外壁部２１４ｂの内部に設けられた舌片２１４ｃから構成されている。脚部２１４ａは上蓋２０４と一体的に繋がる短い棒状の部材であり、封印を解除する場合にニッパ等によって容易に切断可能に形成された部分である。外壁部２１４ｂは、下蓋２０２側を開口した箱状の部材であり、この開口部分は係合部材２１２が挿入される挿入孔２１４ｄとなっている。舌片２１４ｃは、挿入孔２１４ｄの反対側の外壁部２１４ａ内面に突設された板状の部材である。舌片２１４ｃの先端部には、上方に向けて突出した鋸刃状断面の突出部２１４ｅが形成されており、この突出部２１４ｅの舌片２１４ｃ基端側の垂直面は係合部材２１２の当接面２１２ｄと当接する被当接面２１４ｆとなっている。また、舌片２１４ｃ基端の上方の外壁部２１４ｂには、突出部２１４ｅを成型するために必要な成型孔２１４ｇが形成されている。
【００６４】
図７（ａ）は図５（ｂ）のＥ−Ｅ線断面図であり、図７（ｂ）および（ｃ）は、図５（ｂ）のＦ−Ｆ線断面図である。図７（ａ）では、予め係合妨害部２１２ｅを除去した係合部材２１２と、被係合部材２１４がそれぞれ係合位置にある場合を示している。この場合、係合部材２１２の挿入部２１２ｂが被係合部材２１４の外壁部２１４ｂの内部に収容されると共に、挿入部２１２ｂ先端の先端部２１２ｄが被係合部材２１４の成型孔２１４ｇ内に収容された状態となっている。そして、被係合部材２１４の舌片２１４ｃ先端の突出部２１４ｅは、係合部材２１２の挿入部２１２ｂに形成された開口部２１２ｃの内部に嵌まり込んで係合した状態となっている。この状態では、被係合部材２１４を係合位置から離隔させる方向（図の上方）に移動させようとしても、係合部材２１２の当接面２１２ｇと被係合部材２１４の被当接面２１４ｆが当接するため、被係合部材２１４を移動させることはできない。すなわち、係合部材２１２と被係合部材２１４の係合は、係合部材２１２または被係合部材２１４の少なくともいずれか一方を破壊しない限り解除不可能となっており、基板ケース２００は封印構造２１０によって封印された状態となっている。
【００６５】
なお、係合部材２１２および被係合部材２１４がそれぞれ係合位置にある場合には、係合部材２１２の挿入部２１２ｂおよび被係合部材２１４の舌片２１４ｃは、被係合部材２１４の外壁部２１４ｂおよび係合部材２１２の基端部２１２ａによって周囲を覆われた状態となる。さらに、被係合部材２１４の成型孔２１４ｇは係合部材２１２の先端部２１２ｄによって塞がれることとなる。このため、外部から細い棒等を挿入して係合部材２１２と被係合部材２１４の係合を解除することは不可能となっている。
【００６６】
一方、図７（ｂ）では、係合妨害部２１２ｅを備える係合部材２１２と、被係合部材２１４がそれぞれ係合位置にある場合を示している。この場合にも、係合部材２１２の挿入部２１２ｂが被係合部材２１４の外壁部２１４ｂの内部に収容されると共に、挿入部２１２ｂ先端の先端部２１２ｄが被係合部材２１４の成型孔２１４ｇ内に収容された状態となっている。そして、被係合部材２１４の舌片２１４ｃ先端の突出部２１４ｅは、係合妨害部２１２ｅと当接して、開口部２１２ａから押し出された状態となっている。換言すれば、係合妨害部２１２ｅは、突出部２１４ｅを押圧して舌片２１４ｃを弾性変形させることによって、被当接面２１４ｆを当接面２１２ｇと当接不可能な位置に配置している。従って、この場合には係合部材２１２と被係合部材２１４は係合しておらず、図７（ｃ）に示されるように、被係合部材２１４を移動させて係合位置から離隔させることができる。なお、挿入部２１２ｂの先端側に形成された開口部２１２ｃは舌片２１４ｃの幅より狭く設定されているため、（図６（ａ）参照）、突出部２１４ｅはこの開口部２１２ｃ内には入らないようになっている。このように、本実施例では、係合部材２１２が係合妨害部２１２ｅを備えている場合には、係合部材２１２と被係合部材２１４は係合位置からそれぞれ離隔して分離可能であり、封印構造２１０による封印は行われないようになっている。
【００６７】
本実施例では、基板ケース２００に３つの封印構造２１０を備え、これらのうち２つの封印構造２１０の係合部材２１２に係合妨害部２１２ｅを備えることで、２回の再封印を行うことを可能としている。図８（ａ）〜（ｄ）は、再封印を行う手順を示した図である。これらの図においては、図の右側の封印構造２１０が予め係合妨害部２１２ｅが除去されたものであり、図の左側と中央の封印構造２１０は係合妨害部２１２ｅを備えるものとなっている。従って、最初に下蓋２０２と上蓋２０４を結合させたときには、図の右側の封印構造２１０の係合部材２１２と被係合部材２１４が係合し、これによって封印が行われる。この状態から、正当な理由に基づいて基板ケース２００の封印を解除する場合には、同図（ａ）に示されるように、図の右側の被係合部材２１４の脚部２１４ａをニッパ２１６等で切断する。これにより係合部材２１２と係合した被係合部材２１４が上蓋２０４から分離されることとなり、上蓋２０４を下蓋２０２から外すことができる。左側と中央の封印構造２１０では、係合部材２１２が係合妨害部２１２ｅを備えているため、同図（ｂ）に示されるように、被係合部材２１４は上蓋２０４と共に下蓋２０２から分離される。図の右側の封印構造２１０では、被係合部材２１４が係合部材２１２と係合したまま下蓋２０２に残存する。このように被係合部材２１４が下蓋２０２に残存することによって、封印が解除されたことが容易に識別される。
【００６８】
２回目の封印を行う場合には、まず、同図（ｃ）に示されるように、図の中央の係合部材２１２から係合妨害部２１２ｅを除去する。係合妨害部２１２ｅの除去は、ニッパ２１６等により３つの接続部２１２ｆを切断することによって行われる。接続部２１２ｆは、係合妨害部２１２ｅよりも断面積が小さく設定されているため、容易に切断することができる。係合妨害部２１２ｅを除去することによって、係合部材２１２には略Ｔ字形状の１つの開口部２１２ａが形成されることとなり、当接面２１２ｇが被係合部材２１４の被当接面２１４ｆと当接可能な状態となる。そして、同図（ｄ）に示されるように、下蓋２０２と上蓋２０４を再度結合させると、今度は図の中央の封印構造２１０において、係合部材２１２と被係合部材２１４が係合する。すなわち、図の中央の封印構造２１０によって封印が行われる。２回目の封印を解除した後、３回目の封印を行う場合には、図の左側の封印構造２１０の係合部材２１２の係合妨害部２１２ｅを除去すればよい。
【００６９】
本実施例では、接続部２１２ｆを切断した後の切断面が当接面２１２ｇ以外の面に生じるようにしている。これにより、切断面の状態に影響されることなく、常に当接面２１２ｇと被当接面２１２ｆを適切に当接させることができる。また、接続部２１２ｆの側面が当接面２１２ｇから連続するように接続部２１２ｆを形成しているため、切断後に係合部材２１２に残存した接続部２１２ｆの側面が当接面２１２ｇの一部を構成するようになっている。これにより、当接面２１２ｇの面積が広がるため、係合部材２１２と被係合部材２１４の係合をより確実なものとすることができる。
【００７０】
なお、本実施例では、基板ケース２００に３つの封印構造２１０を設けているが、封印構造２１０の個数は３つに限定されるものではなく、それ以外の個数の封印構造２１０を備えるようにしてもよい。例えば、封印構造２１０を４つ以上備えるようにしてもよいし、封印構造２１０を１つだけ備えるようにしてもよい。
【００７１】
また、本実施例では、複数の封印構造２１０のうちの１つは、予め係合妨害部２１２ｅが除去されているが、本発明はこれに限定されるものではない。例えば、全ての封印構造２１０に係合妨害部２１２ｅを備えておき、封印を行う直前に１つの封印構造２１０から係合妨害部２１２ｅを除去するようにしてもよい。このようにすることで、封印する必要がない場合に誤って封印されてしまうことを防ぐことができる。
【００７２】
また、係合妨害部２１２ｅが予め除去される係合部材２１２は、本実施例のように最初から係合妨害部２１２ｅを省略した形状で製造されるものであってもよいし、係合妨害部２１２ｅを備えた状態で製造された後に係合妨害部２１２ｅが除去されるものであってもよい。
【００７３】
また、本実施例では、係合妨害部２１２ｅは係合部材２１２に形成されているが、本発明はこれに限定されるものではない。例えば係合妨害部２１２ｅを被係合部材２１４に形成するようにしてもよいし、係合妨害部２１２ｅを係合部材２１２および被係合部材２１４の両方に形成するようにしてもよい。
【００７４】
また、本実施例では、係合妨害部２１２ｅは係合部材２１２に形成され、被係合部材２１４の一部と当接して被当接面２１４ｆを当接面２１２ｇと当接不可能な位置に配置するものであるが、本発明はこれに限定されるものではなく、係合妨害部２１２ｅは、係合部材２１２に形成され、被係合部材２１４の一部と当接して当接面２１２ｇを被当接面２１４ｆと当接不可能な位置に配置するものであってもよい。さらに、係合妨害部２１２ｅは、被係合部材２１４に形成され、係合部材２１２の一部と当接して当接面２１２ｇを被当接面２１４ｆと当接不可能な位置に配置するものであってもよいし、被係合部材２１４に形成され、係合部材２１２の一部と当接して被当接面２１４ｆを当接面２１２ｇと当接不可能な位置に配置するものであってもよい。
【００７５】
また、封印構造２１０は、少なくとも封印（係合）状態が判別可能な程度に透過性を設けた部材から構成されるものであってもよいし、非透過性の部材から構成されるものであってもよい。
＜電子部品封印構造＞
【００７６】
次に、図９を用いて主制御基板１９２に配設された電子部品の取り外しを封印する電子部品封印構造２２０について説明する。図９は、電子部品封印構造２２０の構造を示した分解斜視図である。本実施例では、基板ケース２００の封印に加えて、さらに主制御基板１９２に配設されたＲＯＭ３０６の取り外しを封印する電子部品封印構造２２０を設けている。なお、ＲＯＭ３０６は主制御基板１９２の上面に配設されている（上方に位置している）と方向を定めて、以下説明を行う。
【００７７】
ＲＯＭ３０６は、主制御基板１９２上に配設されたソケット３０６ａを介して主制御基板１９２上に配設されている。このソケット３０６ａは、足部３０６ｂを主制御基板１９２にハンダ付け等されることで、主制御基板１９２上に固定されており、上面に複数の挿入穴３０６ｃを備えている。そして、ＲＯＭ３０６は、リード３０６ｄを挿入穴３０６ｃに挿入されて配設されている。すなわち、ＲＯＭ３０６は、リード３０６ｄをソケット３０６ａの挿入穴３０６ｃに抜き差しするだけで容易に着脱可能となっている。
【００７８】
電子部品封印構造２２０は、図９に示されるように、主制御基板１９２上に配設される４つの封印基台２２２と、この４つの封印基台２２２の上部に架け渡すように配設される封印蓋２２４と、この封印蓋２２４を封印基台２２２から取り外し不可能とするためのワンウェイネジ２２６から構成されている。
【００７９】
封印基台２２２は外形が略直方体状であり、上面にワンウェイネジ２２６のおねじと螺合するめねじが形成されたねじ穴２２２ａが形成されている。封印基台２２２は、主制御基板１９２上においてＲＯＭ３０６の長手方向の両端部近傍にそれぞれ２つずつ配設されている。また、封印基台２２２は、リベットその他の手段によって主制御基板１９２に強固に固定されており、主制御基板１９２から容易に取り外せないようになっている。
【００８０】
封印蓋２２４は略長方形の板状であり、中央部の両側面には下方に向けて突出するガード部２２４ａが形成されている。また、封印蓋２２４の４つの角部近傍には、ワンウェイネジ２２６を挿通するための挿通孔２２４ｂがそれぞれ形成されている。ガード部２２４ａは、ＲＯＭ３０６に側方から不正にアクセスするのを制限すると共に、封印蓋２２４が挿通孔２２４ｂに挿通されたワンウェイネジ２２６を支点にして回転するのを防止するためのものである。４つの挿通孔２２４ｂは、封印蓋２２４を封印基台２２２の上面に配設した場合にねじ穴２２２ａに対応する位置にそれぞれ形成されている。なお、本実施例では、封印蓋６２０は、透明な素材により構成されている。
【００８１】
ワンウェイネジ２２６は、頭部に十字溝２２６ａが形成されたビス（ボルト）である。この十字溝２２６ａは、プラスドライバー２２８を差し込んでワンウェイネジ２２６を回そうとした場合に、ネジを締結する方向には回すことができるが、ネジを緩める方向には回すことができないように形成されている。具体的には、十字溝２２６ａは、プラスドライバー２２８をネジを緩める方向に回した場合にプラスドライバー２２８の先端と接触する側面が斜面状に形成されており、プラスドライバー２２８の先端を十字溝２２６ａから外れる方向に誘導するようになっている。このため、封印基台２２２と螺合したワンウェイネジ２２６を取り外すことは不可能となっている。
【００８２】
電子部品封印手段２２０によるＲＯＭ３０６の封印は、１つのワンウェイネジ２２６を封印蓋２２４の挿通孔２２４ａを通していずれか１つの封印基台２２２と螺合させ封印蓋２２４と封印基台２２２を締結することによって行われる。上記の通り、封印基台２２２と螺合させたワンウェイネジ２２６は取り外すことができないため、封印基台２２２と締結された封印蓋２２４は、封印基台２２２、封印蓋２２４またはワンウェイネジ２２６の少なくともいずれか１つを破壊しない限り、封印基台２２２から離隔させることが不可能となる。また、ガード部２２４ａとＲＯＭ３０６が当接するため、ワンウェイネジ２２６を支点に封印蓋２２４を回転させてＲＯＭ３０６の上方からずらすことも不可能である。以上により、ＲＯＭ３０６の主制御基板１９２からの取り外しが封印される。
【００８３】
封印の解除は、ニッパ等によりワンウェイネジ２２６を切断することによって行われる。切断されたワンウェイネジ２２６のおねじの部分は、封印基台２２２のねじ穴２２２ａ内に残存するため、封印が解除されたことを容易に識別することができる。再封印は、残りの３つの封印基台２２２のいずれか１つと新たなワンウェイネジ２２６を螺合させて封印蓋２２４と封印基台２２２を締結することによって行われる。従って、本実施例の電子部品封印手段２２０では、３回の再封印を行うことが可能となっている。
【００８４】
なお、電子部品封印構造２２０を、主制御基板１９２上に配設されたＲＯＭ３０６以外の電子部品（例えばＣＰＵ３１０等）の封印に用いるようにしてもよいし、他の回路基板上に配設された電子部品の封印に用いるようにしてもよい。
＜図柄の種類＞
【００８５】
次に、図１０（ａ）〜（ｃ）を用いて、パチンコ機１００の特図表示装置１１４、装飾図柄表示装置１１０、普図表示装置１１２が停止表示する特図および普図の種類について説明する。
【００８６】
図１０（ａ）は特図の停止表示態様の一例を示したものである。本実施例の特図の停止表示態様には、大当たり図柄である特図１と、特別大当たり図柄である特図２と、外れ図柄である特図３の３種類がある。第１特図始動口１２６または第２特図始動口１２８に球が入賞したことを所定の球検出センサが検出したことを条件として特図変動遊技を開始した場合には、特図表示装置１１４は、７個のセグメントの全点灯と、中央の１個のセグメントの点灯を繰り返す特図の変動表示を行う。そして、特図の変動開始前に決定した変動時間が経過すると、特図変動遊技（大当たり遊技）の当選を報知する場合には特図１を停止表示し、特図変動遊技（特別大当たり遊技）の当選を報知する場合には特図２を停止表示し、特図変動遊技の外れを報知する場合には特図３を停止表示する。なお、図中の白抜きの部分が消灯するセグメントの場所を示し、黒塗りの部分が点灯するセグメントの場所を示している。
【００８７】
図１０（ｂ）は装飾図柄の一例を示したものである。本実施例の装飾図柄には、装飾１〜装飾７の７種類がある。第１特図始動口１２６または第２特図始動口１２８に球が入賞したことを所定の球検出センサが検出したことを条件にして、装飾図柄表示装置１１０の左図柄表示領域１１０ａ、中図柄表示領域１１０ｂ、右図柄表示領域１１０ｃの各図柄表示領域に、装飾１→装飾２→装飾３→・・・・装飾６→装飾７→装飾１→・・・の順番で表示を切り替える装飾図柄の変動表示を行う。そして、特図変動遊技（大当たり遊技）の当選を報知する場合には、図柄表示領域１１０ａ〜１１０ｃに大当たりに対応する図柄組合せ（本実施例では、同一の数字の装飾図柄の組合せ（例えば、装飾２−装飾２−装飾２））を停止表示し、特図変動遊技（特別大当たり遊技）の当選を報知する場合には、特別大当たりに対応する図柄組合せ（本実施例では、同一の奇数番号数字の装飾図柄の組合せ（例えば、装飾１−装飾１−装飾１））を停止表示する。なお、大当たりに対応する図柄の組合せを停止表示した場合には、大当たり遊技、または特別大当たり遊技を開始し、特別大当たりに対応する図柄の組合せを停止表示した場合には、特別大当たり遊技を開始する。また、外れを報知する場合には、図柄表示領域１１０ａ〜１１０ｃに大当たりに対応する図柄組合せ以外の図柄組合せを停止表示した後で、保留している装飾図柄の変動表示があれば、その変動表示を開始する。
【００８８】
図１０（ｃ）は普図の停止表示態様の一例を示したものである。本実施例の普図の停止表示態様には、当たり図柄である普図１と、外れ図柄である普図２の２種類がある。普図始動口１２４を球が通過したことを所定の球検出センサが検出したことを条件として普図表示遊技を開始した場合には、普図表示装置１１２は、７個のセグメントの全点灯と、中央の１個のセグメントの点灯を繰り返す普図の変動表示を行う。そして、普図変動遊技の当選を報知する場合には普図１を停止表示し、普図変動遊技の外れを報知する場合には普図２を停止表示する。
＜制御部＞
【００８９】
次に、図１１を用いて、このパチンコ機１００の制御部の回路構成について詳細に説明する。なお、同図は主制御部、演出制御部、払出制御部、発射制御部、および電源管理部の回路ブロック図である。
【００９０】
パチンコ機１００の制御部は、大別すると、遊技の中枢部分を制御する主制御部３００と、主制御部３００が送信するコマンド信号（以下、単にコマンドと呼ぶ）に応じて、主に演出の制御を行う演出制御部３５０と、主制御部３００が送信するコマンドに応じて、主に遊技球の払い出しに関する制御を行う払出制御部４００と、遊技球の発射制御を行う発射制御部４５０と、パチンコ機１００に供給される電源を、パチンコ機１００に搭載した電気部品に送電するための所定の電力を生成する電源管理部５００によって構成している。
＜主制御部＞
【００９１】
まず、パチンコ機１００の主制御部３００について説明する。
【００９２】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数などを計測するためのカウンタタイマ３１２と、を搭載している。なお、ＲＯＭ３０６やＲＡＭ３０８については他の記憶手段を用いてもよく、この点は後述する演出制御部３５０や払出制御部４００についても同様である。この基本回路３０２のＣＰＵ３０４は、水晶発信器３１４ｂが出力する所定周期のクロック信号をシステムクロックとして入力して動作する。
【００９３】
また、基本回路３０２には、水晶発信器３１４ａが出力するクロック信号を受信する度に０〜６５５３５の範囲で数値を変動させるハードウェア乱数カウンタとして使用しているカウンタ回路３１６（この回路には２つのカウンタを内蔵しているものとする）と、上扉１５０および下扉１６０の開放／閉鎖を検出する扉開放センサ、内枠１８２の開放／閉鎖を検出する内枠開放センサ、各始動口、入賞口の入り口および可変入賞口の内部に設けた球検出センサなどを含む各種センサ３１８が出力する信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８など）の表示制御を行うための表示回路３２８と、第２特図始動口１２８や可変入賞口１３０などを開閉駆動する各種ソレノイド３３０を制御するためのソレノイド回路３３２を接続している。
【００９４】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００９５】
さらに、基本回路３０２には、情報出力回路３３４を接続しており、主制御部３００は、この情報出力回路３３４を介して、外部のホールコンピュータ（図示省略）等が備える情報入力回路５５０にパチンコ機１００の遊技情報（例えば、遊技状態）を出力する。
【００９６】
また、主制御部３００には、電源管理部５００から主制御部３００に供給している電源の電圧値を監視する電圧監視回路（図示省略）を設けており、この電圧監視回路は、電源の電圧値が所定の値（本実施例では９ｖ）未満である場合に電圧が低下したことを示す低電圧信号を基本回路３０２に出力する。
【００９７】
また、主制御部３００には、電源が投入されると起動信号を出力する起動信号出力回路（図示省略）を設けており、ＣＰＵ３０４は、この起動信号出力回路から起動信号を入力した場合に、遊技制御を開始する（後述する主制御部メイン処理を開始する）。
【００９８】
また、主制御部３００には、演出制御部３５０にコマンドを送信するための出力インターフェースと、払出制御部４００にコマンドを送信するための出力インターフェースをそれぞれ設けており、演出制御部３５０には、主制御部３００からコマンドを受信するための入力インターフェースを設け、払出制御部４００には、主制御部３００からコマンドを受信するための入力インターフェースを設けている。この構成により、主制御部３００と、演出制御部３５０および払出制御部４００との通信を可能としている。なお、主制御部３００と演出制御部３５０および払出制御部４００との情報通信は一方向の通信であり、主制御部３００は演出制御部３５０および払出制御部４００にコマンド等の信号を送信できるように構成しているが、演出制御部３５０および払出制御部４００からは主制御部３００にコマンド等の信号を送信できないように構成している。
＜演出制御部＞
【００９９】
次に、パチンコ機１００の演出制御部３５０について説明する。
【０１００】
演出制御部３５０は、主に主制御部３００が送信したコマンド等に基づいて演出制御部３５０の全体を制御する基本回路３５２を備えており、この基本回路３５２には、ＣＰＵ３５４と、制御プログラムや各種データを記憶するためのＲＯＭ３５６と、一時的にデータを記憶するためのＲＡＭ３５８と、各種デバイスの入出力を制御するためのＩ／Ｏ３６０と、時間や回数などを計測するためのカウンタタイマ３６２を搭載している。この基本回路３５２のＣＰＵ３５４は、水晶発信器３６４が出力する所定周期のクロック信号をシステムクロックとして入力して動作する。
【０１０１】
また、基本回路３５２には、上部スピーカ１５０ａおよび下部スピーカ１６０ａ等の各種スピーカ３６６（およびアンプ）の制御を行うための音源ＩＣ３６８と、枠ランプ、盤ランプなどの各種ランプ３７０の制御を行うための表示回路３７２と、各種演出用ソレノイド等３７４の制御を行うためのソレノイド回路３７６と、装飾図柄表示装置（液晶表示装置）１１０の制御を行うための液晶制御回路３７８と、チャンスボタン１７３の操作を検出した場合に基本回路３５２に検出信号を出力するチャンスボタン検出回路３８０を接続している。
【０１０２】
また、演出制御部３５０には、電源が投入されると起動信号を出力する起動信号出力回路（図示省略）を設けており、ＣＰＵ３５４は、この起動信号出力回路から起動信号を入力した場合に、演出制御を開始する。
＜払出制御部、発射制御部、電源管理部＞
【０１０３】
次に、パチンコ機１００の払出制御部４００、発射制御部４５０、および電源管理部５００について説明する。
【０１０４】
払出制御部４００は、主に主制御部３００が送信したコマンド等の信号に基づいて払出装置１８５を制御すると共に、払出センサ４０４が出力する制御信号に基づいて賞球または貸球の払い出しが完了したか否かを検出すると共に、インターフェース部４０６を介して、パチンコ機１００とは別体で設けられたカードユニット５５２との通信を行う。
【０１０５】
発射制御部４５０は、払出制御部４００が出力する、発射許可または停止を指示する制御信号や、操作ハンドル１７２内に設けた発射強度出力回路が出力する、遊技者による操作ハンドル１７２の操作量に応じた発射強度を指示する制御信号に基づいて、発射杆および発射槌を駆動する発射モータ４５２の制御や、貯留皿１７１から発射レールに球を供給する球送り装置４５４の制御を行う。
【０１０６】
電源管理部５００は、パチンコ機１００に外部から供給される交流電源を直流化し、所定の電圧に変換して主制御部３００、払出制御部４００などの各制御部や払出装置１８５などの各装置に供給する。さらに、電源管理部５００は、外部からの電源が断たれた後も所定の部品（例えば主制御部３００のＲＡＭ３０８など）に所定の期間（例えば１０日間）電力を供給するための蓄電装置（例えばコンデンサ）と、この蓄電装置よりも静電容量が小さく、所定の部品（例えば主制御部３００の基本回路３０２全体）に供給している電力が、静電気ノイズ、人的なミス、遊技台に供給される電力の低下などが原因で変動し、低下している場合に、ある程度の電力を補うための蓄電装置（例えばコンデンサ）をさらに備えている。この蓄電装置により、所定の部品（例えば主制御部３００）に供給される電力が電断時、復電時などに不安定になっても、ある程度安定してその所定の部品は動作できるように構成している。また、電源管理部５００を構成する電源基板には遊技店の店員などが操作可能な操作部（ＲＡＭクリアスイッチ）を備えており、電源投入時にこの操作部が操作されていることを検出した場合には、各制御部の基本回路３０２および３５２に、ＲＡＭ３０８および３５８を初期化することを指令するＲＡＭクリア信号を出力するようにしている。
＜主制御部のデータテーブル＞
【０１０７】
次に、パチンコ機１００の主制御部３００のＲＯＭ３０６が記憶しているデータテーブルについて説明する。図１２（ａ）に示す大当たり判定テーブルは、ＲＡＭ３０８に設けた遊技状態格納領域に記憶している特図抽選状態の種類と、抽選データと、を対応付けして記憶したデータテーブルである。
【０１０８】
主制御部３００の基本回路３０２は、この大当たり判定テーブルを用いて特図変動遊技を当選（大当たり）とするか、不当選（外れ）とするかの決定、すなわち大当たり判定を行う。なお、特図抽選状態の情報は、特図変動遊技を所定の低確率で当選と判定する低確率状態を示す情報、および低確率よりも高い高確率で特図変動遊技を当選と判定する高確率状態を示す情報などを含むが、以下、これらを単に低確率状態および高確率状態と称する。また、遊技状態格納領域に記憶する情報には別の情報もあるが、これらの情報については後述する。
【０１０９】
大当たり判定テーブルの抽選データは、第１特図始動口１２６または第２特図始動口１２８に球が入賞したことを所定の球検出センサが検出した場合に開始する特図変動遊技の結果を決定するために使用する抽選データである。例えば、特図抽選状態が低確率状態の場合、取得した特図当選乱数値（乱数値については後述する）が１０００１〜１０１８７であるときは、特図変動遊技の当選と判定してＲＡＭ３０８に設けた大当たりフラグの格納領域に大当たりとなることを示す情報を設定する（以下、大当たりフラグの格納領域に大当たりの情報を設定することを「大当たりフラグをオンに設定する」という）。一方、取得した特図当選乱数値が１０００１〜１０１８７以外の数値である場合には、特図変動遊技の外れと判定して上述の大当たりフラグの格納領域に外れとなることを示す情報を設定する（以下、大当たりフラグの格納領域に外れの情報を設定することを「大当たりフラグをオフに設定する」という）。なお、本実施例では、特図当選乱数値の取り得る数値範囲は０〜６５５３５（数値範囲の大きさは６５５３６）、低確率状態における抽選データが示す数値範囲は１０００１〜１０１８７（数値範囲の大きさは１８７）であるから、低確率状態の第１特図始動口１２６または第２特図始動口１２８への球の入賞に基づく特図変動遊技の当選確率は、約１／３５０．４（＝１８７／６５５３６）である。これに対して、高確率状態における抽選データが示す数値範囲は２０００１〜２１８７１（数値範囲の大きさは１８７１）であるから、高確率状態の第１特図始動口１２６または第２特図始動口１２８への球の入賞に基づく特図変動遊技の当選確率は約１／３５．０（＝１８７１／６５５３６）であり、特図変動遊技の当選確率は、低確率状態よりも高確率状態の方が高くなるように設定している。
【０１１０】
図１２（ｂ）に示す高確率状態移行判定テーブルは、上述の大当たり判定の結果、大当たりと判定した場合に使用する抽選データを記憶したデータテーブルである。
【０１１１】
主制御部３００の基本回路３０２は、この高確率状態移行判定テーブルを用いて、特図変動遊技の終了後に大当たり遊技を開始するか、または特別大当たり遊技を開始するかの判定、すなわち確変移行判定を行う。例えば、取得した特図乱数値（乱数値については後述する）が１１〜７４の数値である場合には、ＲＡＭ３０８に設けた確変（確率変動）フラグの格納領域に、特図変動遊技の終了後に特別大当たり遊技を開始することを示す情報を設定する（ここで、確変フラグの格納領域に特別大当たり遊技開始の情報を設定することを確変フラグをオンに設定するという）。一方、取得した特図乱数値が１１〜７４の数値以外である場合には、上述の確変フラグの格納領域に、大当たり遊技を開始することを示す情報を設定する（ここで、確変フラグの格納領域に大当たり遊技開始の情報を設定することを確変フラグをオフに設定するという）。なお、本実施例では、特図乱数値の取り得る数値範囲は０〜１２７（数値範囲の大きさは１２８）、抽選データの移行判定乱数の範囲は１１〜７４（数値範囲の大きさは６４）であるから、大当たり判定の結果が当選である場合に確変移行判定の結果を当選にする確率、すなわち特別大当たりを開始する確率は１／２（＝６４／１２８）である。
【０１１２】
図１２（ｃ）に示すタイマ番号決定テーブルは、上述の大当たりフラグと、抽選データと、特図表示装置１１４による特図の変動表示を開始してから停止表示をするまでの変動時間を示すタイマ番号と、を対応付けして記憶したデータテーブルである。
【０１１３】
主制御部３００の基本回路３０２は、このタイマ番号決定テーブルと、上述の大当たり判定結果（大当たりフラグの値）および後述する特図タイマ乱数値（乱数値については後述する）に基づいて、タイマ番号を選択する。例えば、大当たりフラグがオフで、取得した特図タイマ乱数値が０〜６０２３５の数値である場合には、タイマ番号としてタイマ１（変動時間５秒）を選択し、大当たりフラグがオンで、取得した特図タイマ乱数値が０〜１５５３５の数値である場合には、タイマ番号としてタイマ２（変動時間１０秒）を選択する。なお、本実施例では、特図タイマ乱数値の取り得る数値範囲は０〜６５５３５（数値範囲の大きさは６５５３６）、上述の大当たり判定結果が不当選の場合は、タイマ１のタイマ乱数の範囲は０〜６０２３５（数値範囲の大きさは６０２３６）であるから、タイマ番号としてタイマ１（変動時間５秒）を選択する確率は６０２３６／６５５３６である。また、タイマ番号として、タイマ２（変動時間１０秒）を選択する確率は４２５０／６５５３６、タイマ３（変動時間２０秒）を選択する確率は８００／６５５３６、タイマ３（変動時間４０秒）を選択する確率は２５０／６５５３６である。一方、大当たり判定結果が当選の場合は、タイマ２のタイマ乱数の範囲は０〜１５５３５（数値範囲の大きさは１５５３６）であるから、タイマ番号としてタイマ２（変動時間１０秒）を選択する確率は１５５３５／６５５３６である。また、タイマ番号として、タイマ３（変動時間２０秒）を選択する確率は９０００／６５５３６、タイマ４（変動時間４０秒）を選択する確率は３８０００／６５５３６、タイマ５（変動時間５０秒）を選択する確率は３０００／６５５３６である。
＜主制御部リセット割り込み処理＞
【０１１４】
次に、図１３を用いて、主制御部３００のＣＰＵ３０４が実行する主制御部リセット割り込み処理について説明する。なお、同図は主制御部リセット割り込み処理の流れを示すフローチャートである。
【０１１５】
上述したように、主制御部３００には、電源が投入されると起動信号を出力する起動信号出力回路を設けている。この起動信号を入力した基本回路３０２のＣＰＵ３０４は、リセット割り込みによりリセットスタートしてＲＯＭ３０６に予め記憶している制御プログラムに従って処理を実行し、まず、ステップＳ１０１で各種の初期設定を行う。この初期設定では、入出力ポートの初期設定、各種変数の初期化、後述する主制御部タイマ割り込み処理を定期毎に実行するための周期を決める数値をカウンタタイマ３１２に設定する処理などを行う。
【０１１６】
ステップＳ１０２では、復帰データ（前回、電源が遮断された時点における制御状態を復帰させるための情報を保存したデータ）をＲＡＭ３０８が記憶しているか否かを判断する。そして、復帰データをＲＡＭ３０８に記憶していた場合にはステップＳ１０３に進み、記憶していなかった場合にはステップＳ１０４に進む。
【０１１７】
ステップＳ１０３では、復帰データを用いて、電源の遮断前の状態に復帰する。
【０１１８】
ステップＳ１０４では、ソフトウェア乱数カウンタの更新を行う。ここでは、普図当選乱数カウンタ、および特図乱数値カウンタの初期値をそれぞれ生成するための２つの初期値生成用乱数カウンタと、普図タイマ乱数値、特図タイマ乱数値をそれぞれ生成するための２つの乱数カウンタを更新する。例えば、普図タイマ乱数値として取り得る数値範囲が０〜２０とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が２１であれば０を元の乱数カウンタ記憶領域に記憶する。他の初期値生成用乱数カウンタ、乱数カウンタもそれぞれ同様に更新する。主制御部３００は、所定の周期ごとに開始する主制御部タイマ割り込み処理を行っている間を除いて、このステップＳ１０４の処理を繰り返し実行する。
＜主制御部タイマ割り込み処理＞
【０１１９】
次に、図１４を用いて、主制御部３００のＣＰＵ３０４が実行する主制御部タイマ割り込み処理について説明する。なお、同図は主制御部タイマ割り込み処理の流れを示すフローチャートである。
【０１２０】
主制御部３００は、所定の周期（本実施例では２ｍｓに１回）でタイマ割り込みを発生するカウンタタイマ３１２を備えており、このタイマ割り込みを契機として主制御部タイマ割り込み処理を所定の周期で開始する。
【０１２１】
ステップＳ２０１では、Ｉ／Ｏ３１０の入力ポートの値を取得して、各種センサ３１８の状態を検出する。例えば、第１、第２特図始動口１２６、１２８に球が入球していることを検出した場合にオン信号を出力する球検出センサからの信号を入力する。他の入賞口、始動口などについても対応する球検出センサからの信号を入力する。このステップＳ２０１において入力した結果は、ＲＡＭ３０８に各種センサごとに区画して設けた信号状態記憶領域に記憶する。
【０１２２】
ステップＳ２０２では、ソフトウェア乱数カウンタの更新を行う。ここでは、主制御部３００で使用する普図当選乱数値および特図乱数値をそれぞれ生成するための２つの乱数カウンタと、上述の普図当選乱数値、および特図乱数値の初期値をそれぞれ生成するための２つの初期値生成用乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。これらの処理の後でステップＳ１０４で行った初期値生成用乱数カウンタの値の更新を行う。なお、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。
【０１２３】
ステップＳ２０３では、上述のステップＳ２０１で各種センサから入力した信号の状態に基づいて入賞検出を行う。この入賞検出では、入賞口や始動口（一般入賞口１２２、第１、第２特図始動口１２６、１２８および可変入賞口１３０）に入賞（入球）があった場合には、ＲＡＭ３０８に設けた賞球数記憶領域の値に入賞口ごとに予め定めた賞球数を加算したり、第１特図始動口１２６または第２特図始動口１２８に入賞があり、且つ、保留している特図変動遊技数が４未満である場合には、入賞した始動口に対応するカウンタ回路３１６ｂのカウンタ値記憶用レジスタから値を特図当選乱数値として取得する。また、上述の特図乱数値生成用の乱数カウンタから値を特図乱数値として取得し、ＲＡＭ３０８に設けた乱数値記憶領域に特図当選乱数値と共に記憶する。また、普図始動口１２４を球が通過したことを検出し、且つ、保留している普図変動遊技の数が２未満の場合には、そのタイミングにおける普図当選乱数値生成用の乱数カウンタの値を普図当選乱数値として取得し、ＲＡＭ３０８に設けた上記特図用とは別の乱数値記憶領域に記憶する。
【０１２４】
ステップＳ２０４では、特図変動遊技に関する処理（特図関連処理）を行う。この特図関連処理では、特図変動遊技および可変入賞口１３０の開閉制御を行っておらず、且つ、保留している特図変動遊技の数が１以上である場合に、主制御部３００が記憶する上述の各種データテーブルを使用した各種抽選のうち、最初に大当たり判定を行う。
【０１２５】
具体的には、ステップＳ２０３で乱数値記憶領域に記憶した特図当選乱数値が、図１２（ａ）に示す大当たり判定テーブルの抽選データの数値範囲であるか否かを判定し、特図当選乱数値が抽選データの数値範囲である場合には、特図変動遊技の当選と判定して大当たりフラグをオンに設定する。一方、特図当選乱数値が抽選データの数値範囲外である場合には、特図変動遊技の外れと判定して大当たりフラグをオフに設定する。例えば、特図抽選状態が低確率状態で、第１特図始動口１２６または第２特図始動口１２８への球入賞の検出に基づいて取得した特図当選乱数値が１０１００の場合は、特図当選乱数値が１０００１〜１０１８７の範囲であることから大当たりフラグをオンに設定し、特図当選乱数値が１０３００の場合は、特図当選乱数値が１０００１〜１０１８７の範囲外であることから大当たりフラグをオフに設定する。
【０１２６】
大当たりフラグにオンを設定した場合には、次に確変移行判定を行う。具体的には、ステップＳ２０３で乱数値記憶領域に記憶した特図乱数値が、図１２（ｂ）に示す移行判定乱数の数値範囲であるか否かを判定し、特図乱数値が抽選データの数値範囲である場合には、上述の確変フラグをオンに設定し、特図乱数値が抽選データの数値範囲以外である場合には、上述の確変フラグをオフに設定する。例えば、取得した特図乱数値が２０の場合には、特図乱数値が１１〜７４の範囲であることから確変フラグをオンに設定する。一方、取得した特図乱数値が８０の場合には、特図乱数値が１１〜７４の範囲外であることから確変フラグをオフに設定する。
【０１２７】
大当たり判定の結果に関わらず、次にタイマ番号を決定する処理を行う。具体的には、上述の特図タイマ乱数値生成用の乱数カウンタの値を特図タイマ乱数値として取得する。そして、大当たりフラグの値、および取得した特図タイマ乱数値に基づいて、図１２（ｃ）に示すタイマ選択乱数の数値範囲に対応するタイマ番号を選択し、ＲＡＭ３０８に設けたタイマ番号記憶領域に記憶する。また、そのタイマ番号に対応する変動時間をＲＡＭ３０８に設けた変動時間記憶領域に記憶して処理を終了する。例えば、大当たりフラグがオフで、取得した特図タイマ乱数値が５００００の場合には、特図タイマ乱数値は０〜６０２３５の範囲であることから、タイマ番号決定テーブルのそれらの条件に対応する１行目に記憶しているタイマ番号を示すタイマ１、および変動時間を示す５を選択し、ＲＡＭ３０８に設けたそれぞれの記憶領域に記憶する。一方、大当たりフラグがオンで、取得した特図タイマ乱数値が６４０００の場合には、特図タイマ乱数値は０〜１５５３５の範囲ではないことからタイマ２は選択せず、１５５３６〜２４５３５ではないことからタイマ３は選択せず、２４５３６〜６２５３５ではないことからタイマ４は選択しないが、６２５３６〜６５５３５の範囲内であることから、タイマ番号決定テーブルのそれらの条件に対応する８行目に記憶しているタイマ番号を示すタイマ５、および変動時間を示す５０を選択し、ＲＡＭ３０８に設けたそれぞれの記憶領域に記憶する。なお、主制御部タイマ割り込み処理の開始周期である２ｍｓを考慮して、選択した変動時間の値に５００（１０００ｍｓ／２ｍｓ）を掛けた値を変動時間記憶領域にセットする。例えば、変動時間として５秒を選択した場合には、変動時間記憶領域には２５００の値を初期値としてセットし、後述するタイマ更新処理（ステップＳ２０８）を実行する度に、この変動時間記憶領域の値を１だけ減算するようにすることで、主制御部タイマ割り込み処理の実行回数により時間の経過を計測できるようにしている。
【０１２８】
また、上述の変動時間記憶領域の値が１から０になったタイミングで開始する特図変動関連処理では、大当たりフラグがオンの場合には、特図表示装置１１４に特図１または特図２、大当たりフラグがオフの場合には、特図３を表示するように設定すると共に、その後、所定の停止表示期間（例えば５００ｍ秒間）その表示を維持するように設定する。この設定により特図の停止表示を行い、特図変動遊技の結果を遊技者に報知するようにしている。
【０１２９】
すなわち、本実施例における「特別図柄（特図）変動遊技」は、第１特図始動口１２６または第２特図始動口１２８に球が入賞したことを所定の球検出センサが検出した場合に、ステップＳ２０３の入賞検出処理で、特図当選乱数値および特図乱数値を取得し、取得した値をＲＡＭ３０８の所定の記憶領域にそれぞれ記憶するところから開始し、ステップＳ２０４の特図関連処理でＲＡＭ３０８の所定の記憶領域に記憶している乱数カウンタの値を特図タイマ乱数値として取得し、ＲＡＭ３０８の所定の記憶領域に記憶してある特図当選乱数値に基づいて大当たり判定し、ＲＡＭ３０８の所定の記憶領域に記憶してある特図乱数値に基づいて確率変動の判定を行い、大当たり判定結果および取得した特図タイマ乱数値などに基づいて特図変動時間を決定し、その変動時間の間に亘って特図を変動表示し、さらに上述の大当たり判定結果および確率変動の判定に基づいて決定した特図１、特図２または特図３の停止表示を行って終了する。
【０１３０】
また、所定の停止表示期間が終了したタイミングで開始する特図変動関連処理では、大当たりフラグがオンの場合には、所定の入賞演出期間（例えば３秒間）すなわち装飾図柄表示装置１１０による大当たりを開始することを遊技者に報知する画像を表示している期間待機するように設定する。
【０１３１】
また、所定の入賞演出期間が終了したタイミングで開始する特図変動関連処理では、所定の開放期間（例えば２９秒間、または可変入賞口１３０に所定球数（例えば１０球）の遊技球の入賞を検出するまで）可変入賞口１３０の扉部材の開閉駆動用のソレノイド３３０に、扉部材を開放状態に保持する信号を出力するように設定する。
【０１３２】
また、所定の開放期間が終了したタイミングで開始する特図変動関連処理では、所定の閉鎖期間（例えば１．５秒間）可変入賞口１３０の扉部材の開閉駆動用のソレノイド３３０に、扉部材を閉鎖状態に保持する信号を出力するように設定する。
【０１３３】
この扉部材の開放・閉鎖制御を所定回数（例えば１５ラウンド）繰り返し、終了したタイミングで開始する特図変動関連処理では、所定の終了演出期間（例えば３秒間）すなわち装飾図柄表示装置１１０による大当たりを終了することを遊技者に報知する画像を表示している期間待機するように設定する。
【０１３４】
また、所定の終了演出期間が終了したタイミングで開始する特図変動関連処理では、保留している特図変動遊技の数が１以上であれば、上述の大当たり判定など次の特図変動遊技を開始する。なお、保留している特図変動遊技の数は、ＲＡＭ３０８に設けた特図保留数記憶領域に記憶するようにしており、大当り判定をするたびに、保留している特図変動遊技の数から１を減算した値を、この特図保留数記憶領域に記憶し直すようにしている。
【０１３５】
ステップＳ２０５では、普図変動遊技に関する処理（普図関連処理）を行う。この普図関連処理では、普図変動遊技および第２特図始動口１２８の開閉制御を行っておらず、且つ、保留している普図変動遊技の数が１以上である場合には、最初に当たり判定を行う。
【０１３６】
具体的には、ステップＳ２０３で乱数値記憶領域に記憶した普図当選乱数値が、所定の判定テーブルの抽選データの数値範囲であるか否かを判定し、普図当選乱数値が抽選データの数値範囲である場合には、普図変動遊技の当選と判定して当たりフラグをオンに設定する。一方、普図当選乱数値が抽選データの数値範囲外である場合には、普図変動遊技の外れと判定して当たりフラグをオフに設定する。
【０１３７】
当たり判定の結果に関わらず、次にタイマ番号を決定する処理を行う。具体的には、上述の普図タイマ乱数値生成用の乱数カウンタの値を普図タイマ乱数値として取得する。そして、普図変動遊技の保留球数、および取得した普図タイマ乱数値に基づいてタイマ番号を選択し、ＲＡＭ３０８に設けたタイマ番号記憶領域に記憶する。また、そのタイマ番号に対応する変動時間をＲＡＭ３０８に設けた変動時間記憶領域に記憶して処理を終了する。
【０１３８】
また、上述の普図用の変動時間記憶領域の値が１から０になったタイミングで開始する普図関連処理では、当たりフラグがオンの場合には、普図表示装置１１２に上述の普図１、当たりフラグがオフの場合には上述の普図２を表示するように設定すると共に、その後、所定の停止表示期間（例えば５００ｍ秒間）その表示を維持するように設定する。この設定により普図の停止表示を行い、普図変動遊技の結果を遊技者に報知するようにしている。
【０１３９】
すなわち、本実施例における「普通図柄（普図）変動遊技」は、普図始動口１２４に球が入賞したことを所定の球検出センサが検出した場合に、ステップＳ２０３の入賞検出処理で、普図当選乱数値を取得し、取得した値をＲＡＭ３０８の所定の記憶領域に記憶するところから開始し、ステップＳ２０５の普図関連処理でＲＡＭ３０８の所定の記憶領域に記憶している乱数カウンタの値を普図タイマ乱数値として取得し、ＲＡＭ３０８の所定の記憶領域に記憶してある普図当選乱数値に基づいて当り判定し、その判定結果と取得した普図タイマ乱数値に基づいて普図変動時間の決定を行い、その変動時間の間に亘って普図を変動表示し、さらに上述の当り判定結果に基づいて決定した普図１または普図２の停止表示を行って終了する。
【０１４０】
また、所定の停止表示期間が終了したタイミングで開始する普図関連処理では、当りフラグがオンの場合には、所定の開放期間（例えば２秒間）、第２特図始動口１２８の羽根の開閉駆動用のソレノイド３３０に、羽根を開放状態に保持する信号を出力するように設定する。
【０１４１】
また、所定の開放期間が終了したタイミングで開始する普図関連処理では、第２特図始動口１２８の羽根の開閉駆動用のソレノイド３３０に、羽根を閉鎖状態に保持する信号を出力するように設定すると共に、所定の閉鎖期間（例えば５００ｍ秒間）開閉駆動用のソレノイド３３０に、羽根の閉鎖状態を保持するように設定する。
【０１４２】
また、所定の閉鎖期間を経過したタイミングで開始する普図関連処理では、保留している普図変動遊技の数が１以上である場合に、上記当り判定処理など次の普図変動遊技を開始する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。
【０１４３】
ステップＳ２０６では、演出制御部３５０に対して制御コマンド（演出コマンド）を送信する。なお、この制御コマンドには、上述のステップＳ２０４で大当たり判定をおこなった場合に送信する変動開始コマンド、上述の変動時間記憶領域の値が１から０になった場合に送信する変動停止コマンド、大当たり判定で大当たりフラグを設定した場合に送信する大当たり開始コマンド、上述の所定の開放期間の開始毎に送信するラウンド開始情報などがあり、上述の変動開始コマンドには、変動時間（例えば選択したタイマ番号）、確変フラグのオン／オフの情報、大当たりフラグのオン／オフの情報などを含み、ラウンド開始コマンドには大当たりを開始してから可変入賞口１３０を開放させた回数を示す情報（例えばラウンド数）などを含めるようにしている。また、払出制御部４００に対して払出コマンドを送信する。なお、この払出コマンドには、上述の賞球数記憶領域の値に基づく賞球数などを含めるようにしている。
【０１４４】
ステップＳ２０７では、各種ソレノイド３３０を駆動して、第２特図始動口１２８、可変入賞口１３０の開閉を制御したり、ＲＡＭ３０８に記憶している遊技情報を、情報出力回路３３４を介してパチンコ機１００とは別体の情報入力回路５５０に出力する。また、表示回路３２２、３２４、３２８を介して普図表示装置１１２、特図表示装置１１４、各種状態表示部３２６などに出力する表示データを、Ｉ／Ｏ３１０の出力ポートに設定する。
【０１４５】
ステップＳ２０８では、普通図柄表示装置１１２、特図表示装置１１４に図柄を変動・停止表示する時間、所定の入賞演出時間、所定の開放時間、所定の閉鎖時間、所定の終了演出期間などを計時するためのタイマなどを含む各種タイマを更新する。
【０１４６】
ステップＳ２０９では、電源管理部５００から主制御部３００に供給している電源の電圧値を監視する電圧監視回路が、所定の値以下である場合に電圧が低下したことを示す電圧低下信号を出力しているか否か、すなわち電源の遮断を検知したか否かを監視し、電源の遮断を検知した場合には、復電時に電断時の状態に復帰するための特定の変数やスタックポインタを復帰データとしてＲＡＭ３０８の所定の領域に退避し、入出力ポートの初期化などの電断処理を行う。
【０１４７】
以上説明したように、本実施例に係る封印構造２１０は、係合位置において互いに係合可能に構成された係合部材２１２および被係合部材２１４を備え、少なくとも係合部材２１２または被係合部材２１４のいずれか一方には、互いの係合を妨害する係合妨害部２１２ｅが一体的に形成され、係合妨害部２１２ｅを除去した場合に、係合部材２１２および被係合部材２１４の係合が可能となると共に、少なくとも係合部材２１２または被係合部材２１４のいずれか一方を破壊しない限り係合を解除不可能となるように構成されている。このため、封印する必要がない場合に誤って封印してしまうことを防ぎながらも、封印する必要がある場合には容易に封印可能とすることができる。また、係合妨害部２１２ｅが係合部材２１２と一体的に形成されていることから、係合妨害部２１２ｅを紛失するようなことがないため、誤封印を確実に防止することができる。さらに、係合妨害部２１２ｅを係合部材２１２と一体的に形成することによって部品点数を減少させることが可能となり、製造コストを削減することができる。
【０１４８】
また、係合部材２１２は、当接面２１２ｇを備え、被係合部材２１４は、当接面２１２ｇと当接することで係合部材２１２および被係合部材２１４の係合の解除を不可能とする被当接面２１４ｆを備え、係合妨害部２１２ｅは、係合部材２１２および被係合部材２１４が係合位置にある場合に、係合部材２１２または被係合部材２１４の一部と当接することによって、少なくとも当接面２１２ｇまたは被当接面２１４ｆのいずれか一方を互いに当接不可能な位置に配置するように形成されている。このため、複雑な機構や構造を採用することなく、シンプル且つ安価な構成で、必要な場合には確実に封印を行うと共に、不必要な場合には確実に封印を防止することができる。
【０１４９】
なお、係合妨害部２１２ｅは、係合部材２１２および被係合部材２１４が係合位置にある場合に、被係合部材２１４の一部と当接することによって、被当接面２１４ｆを当接面２１２ｇと当接不可能な位置に配置するように、係合部材２１２に形成されているのが好適である。
【０１５０】
また、係合妨害部２１２ｅは、係合部材２１２および被係合部材２１４が係合位置にある場合に、係合部材２１２の一部と当接することによって、被当接面２１４ｆを当接面２１２ｇと当接不可能な位置に配置するように、被係合部材２１４に形成されるものであってもよい。
【０１５１】
また、係合妨害部２１２ｅは、自身が除去される場合に破断される破断部（本実施例では接続部）２１２ｆを備え、破断部２１２ｆは、係合部材２１２と被係合部材２１４が互いに当接して係合の解除を不可能とする面（本実施例では、当接面２１２ｇおよび被当接面２１４ｆ）以外の面に破断面が生じるように形成されている。このため、破断部２１２ｆの破断面の状態に影響されることなく、常に当接面２１２ｇと被当接面２１２ｆを適切に当接させることができる。従って、封印を確実なものとすることができる。
【０１５２】
また、封印構造２１０は、係合位置にある係合部材２１２および被係合部材２１４を覆うカバーをさらに備え、カバーは、係合部材２１２と一体的に形成された第１カバー部材（本実施例では、基端部２１２ａおよび先端部２１２ｄからなる）、および被係合部材２１４と一体的に形成された第２カバー部材（本実施例では、外壁部２１４ｂ）からなり、第１カバー部材および第２カバー部材は、係合部材２１２および被係合部材２１４が係合位置にある場合に、第１カバー部材または第２カバー部材のいずれか一方に形成された開口部（本実施例では、挿入孔２１４ｄおよび成型孔２１４ｇ）が、第１カバー部材または第２カバー部材のいずれか他方に形成された閉塞部（本実施例では、基端部２１２ａおよび先端部２１２ｄ）によって塞がれるように形成されている。このため、係合部材２１２および被係合部材２１４の係合している部分（当接面２１２ｇおよび被当接面２１４ｆ）を略完全に覆い、外部から接触不可能とすることができる。従って、外部から巧妙に封印が解除されるのを未然に防止することが可能となり、封印を確実なものとすることができる。
【０１５３】
また、係合妨害部２１２は、係合部材２１２または被係合部材２１４と当接する部分が他の部分よりも太く形成されている。このため、係合妨害部２１２の強度を高めることが可能となり、封印を行っていない場合に係合部材２１２および被係合部材２１４を係合位置に対して繰り返し近接離隔させても、係合妨害部２１２ｅが磨耗や変形してしまうのを防ぐことができる。これにより、係合妨害部２１２ｅが除去されていないにもかかわらず、係合妨害部２１２ｅの磨耗や変形によって封印がされてしまうのを防ぐことができる。
【０１５４】
なお、本実施例に係る封印構造２１０は、遊技台の回路基板を収納する基板ケースの封印に用いられるのに好適であり、特に、制御基板を収納する基板ケースの封印に用いられるのに好適である。
【０１５５】
また、本実施例では、係合位置において互いに係合可能に構成された係合部材２１２および被係合部材２１４を備え、少なくとも係合部材２１２または被係合部材２１４のいずれか一方には、互いの係合を妨害する係合妨害部２１２ｅが設けられ、係合妨害部２１２ｅを除去した場合に、係合部材２１２および被係合部材２１４の係合が可能となると共に、少なくとも係合部材２１２または被係合部材２１４のいずれか一方を破壊しない限り係合を解除不可能となるように構成された複数の封印構造２１０を備えている。このため、正当な理由に基づいて封印を解除した後にも、再度封印を行うことができる。
【０１５６】
また、複数の封印構造２１０のうちの少なくとも１つは、予め係合妨害部２１２ｅが除去されている。このため、１回目の封印を行う場合は、係合妨害部２１２ｅを除去する必要がなく、容易且つスピーディに封印を行うことができる。
【０１５７】
また、係合妨害部２１２ｅは、係合部材２１２または被係合部材２１４に一体的に形成されている。これにより、係合妨害部２１２ｅを紛失したり、複数の封印構造２１０のうち、今回係合すべき封印構造２１０を取り違えたりするようなことがないため、誤封印を確実に防止することができる。さらに、部品点数を減少させることにより、製造コストを削減することができる。
【０１５８】
なお、１回の封印の際に２箇所の封印構造２１０で封印を行うといった場合もある。本実施例では、３つの封印構造２１０を用意し、３回の封印作業を可能にすると説明したが、これを６つの封印構造２１０を用意し、３回の封印作業を可能とするとしてもよい。この場合、最初の封印の際に２箇所で封印を行うため、予め係合妨害部２１２ｅが除去されている封印構造２１０は２箇所であってもよい。このように、予め係合妨害部２１２ｅが除去されている封印構造２１０は複数であってもよい。
【０１５９】
また、１回の封印で複数の封印構造２１０による封印を行う場合に、セットとなっている封印構造２１０を示すための識別表示を表示してもよい。例えば、６つの封印構造２１０を用意し、３回の封印作業を予定している場合は、１回目の封印作業で使用する２つの封印構造２１０に「１」という数字を表示し、２回目の封印作業で使用する２つの封印構造２１０に「２」という数字を表示し、３回目の封印作業で使用する２つの封印構造２１０に「３」という数字を表示してもよい。これは「１」という数字が表示されている２つの封印構造２１０は「１回目に使用する２つの封印構造」ということを意味し、「２」という数字が表示されている２つの封印構造２１０は「２回目に使用する２つの封印構造」ということを意味し、「３」という数字が表示されている２つの封印構造２１０は「３回目に使用する２つの封印構造」ということを意味している。
【０１６０】
このように、封印の際に使用する封印構造２１０の順番を示す情報、および１回の封印の際に使用する封印構造２１０の組み合わせを示す情報のいずれか一方または両方を備えることで、封印構造２１０による封印を行う作業者は、どの封印構造２１０を使用して封印を行うかがわかりやすくなるといった効果がある。なお、複数の封印構造２１０を備え、１回の封印の際に１箇所の封印構造２１０で封印を行う場合には、封印の際に使用する封印構造の順番を示す情報のみを表示してもよい。また、「１」等の、封印の際に使用する封印構造の順番を示す情報のうち、最初に使用することを示す情報が与えられた封印構造２１０は、予め係合妨害部２１２ｅが除去されたものであってもよい。また、封印構造２１０の順番を示す情報、または１回の封印の際に使用する封印構造２１０の組み合わせを示す情報は、基盤ケース２００または封印構造２１０などに表示することが一般的であるが、これに限られず、例えば回路基板１９２上に表示する等、遊技台を構成するいずれかの遊技部品上で表示されていればよい。
【０１６１】
また、本実施例に係るパチンコ機１００は、所定の回路パターンが形成された回路基板（本実施例では、主制御基板）１９２と、回路基板１９２上に配設される電子部品（本実施例では、ＲＯＭ）３０６と、回路基板１９２上に配設されて電子部品３０６を回路基板１９２に封印し、電子部品３０６が回路基板１９２から取り外された場合に痕跡を残すと共に、所定の回数だけ再封印可能に構成される電子部品封印構造２２０と、を備えている。電子部品封印構造２２０は、ワンウェイネジ２２６と螺合するねじ穴２２２ａを備えて回路基板１９２に固定される封印基台２２２と、ワンウェイネジ２２６が挿通される挿通孔２２４ａを備えて電子部品３０６の少なくとも一部を覆う封印蓋２２４と、を備え、ワンウェイネジ２２６により封印基台２２２と封印蓋２２４を締結することで封止を行い、
電子部品封印手段２２０を構成するいずれかの部品を破壊した場合に、電子部品３０６を回路基板１９２から取り外し可能となるように構成されている。
【０１６２】
従来は、ＩＣ等の電子部品を封印するカバーの一部を破壊して電子部品を取りはずした場合に再利用することができないため、遊技店などが不正な電子部品に交換されていないかどうかを確認する等、正当な目的で電子部品のチェックを行いたい場合においても新たなカバー等を用意する必要が生じてしまい、容易に電子部品のチェックを行うことができなかった。これに対し、本実施例に係る電子部品封印構造２２０は、所定の回数（本実施例では、３回）だけ再封印可能に構成されているため、正当な目的で電子部品の封印を解除した後にも、再度封印を行うことができる。
【実施例２】
【０１６３】
次に、本発明の実施例２について説明する。本実施例に係るパチンコ機は、上記実施例１に係るパチンコ機１００に、封印構造２１０に代えて封印構造２３０を適用したものであり、その他の構造および処理は上記実施例１と同一である。このため、同一部分については図中において同じ符号を付すと共に、その説明は省略し、以下、封印構造２３０についてのみ説明する。
＜封印構造＞
【０１６４】
図１５（ａ）は基板ケース２００の正面図であり、同図（ｂ）は同図（ａ）のＧ部拡大図である。本実施例の基板ケース２００は、３つの封印構造２３０を備えており、３回の封印が可能となっている。封印構造２３０は、下蓋２０２の上部に一体的に形成された係合部材２３２、および上蓋２０４の上部に一体的に形成された被係合部材２３４から構成されている。下蓋２０２と上蓋２０４が結合した状態では、封印構造２３０の係合部材２３２は、被係合部材２３４の内部に大部分が挿入された状態となる。この状態では、係合部材２３２および被係合部材２３４は互いに係合可能な状態であり、本発明における係合位置にそれぞれ位置している。
【０１６５】
図１６（ａ）および（ｂ）は係合部材２３２の構造を示した図である。なお、図１６（ａ）は、図４（ａ）のＡ方向矢視図であり、図１６（ｂ）は図１６（ａ）の斜視図である。係合部材２３２は、下蓋２０２の上部から上方に向けて突設された基端部２３２ａと、基端部２３２ａから上蓋２０４側に向けて突設された挿入部２３２ｂから構成されている。基端部２３２ａは、下蓋２０２と一体的に繋がる板状の部材である。挿入部２３２ｂは、２つの略Ｈ字形状の開口部２３２ｃが形成された板状の部材である。挿入部２３２ｂの先端には、被係合部材２３４の開口部を塞ぐ略直方体状の先端部２３２ｄが突設されている。
【０１６６】
挿入部２３２ｂに形成された２つの開口部２３２ｃの間には、略直方体状の係合妨害部２３２ｅが形成されている。係合妨害部２３２ｅは、挿入部２３２ｂの先端側と基端側にそれぞれ形成された２つの接続部２３２ｆを介して挿入部２３２ｂと一体的に繋がっている。２つの接続部２３２ｆは、係合妨害部２３２ｅよりも細く（断面積を小さく）形成されている。係合妨害部２３２ｅの上面には、左右方向に溝２３２ｇが形成されており、この溝の挿入部２３２ｂ先端側の側面は斜面状に形成された誘導面２３２ｈとなっている。２つの開口部２３２ｃの側縁は、係合妨害部２３２ｅの近傍において内側に突出しており、この突出部分の挿入部２３２ｂ基端側の面は当接面２３２ｉとなっている。なお、本実施例では、図の右側の係合部材２３２は、予め係合妨害部２３２ｅが除去された状態となっている。
【０１６７】
図１６（ｃ）〜（ｅ）は被係合部材２３４の構造を示した図である。なお、図１６（ｃ）は図４（ａ）のＢ方向矢視図であり、図１６（ｄ）は図１５（ｂ）のＪ−Ｊ線断面図であり、図１６（ｅ）は図１６（ｄ）の斜視図である。被係合部材２３４は、上蓋２０４の上部に設けられた２つの脚部２３４ａと、脚部２３４ａの上方に設けられた外壁部２３４ｂと、外壁部２３４ｂの内部に設けられた舌片２３４ｃから構成されている。脚部２３４ａは上蓋２０４と一体的に繋がる短い棒状の部材であり、封印を解除する場合に切断される部分である。外壁部２３４ｂは、下蓋２０２側を開口した箱状の部材であり、この開口部分は係合部材２３２が挿入される挿入孔２３４ｄとなっている。舌片２３４ｃは、挿入孔２３４ｄの反対側の外壁部２３４ａ内面に突設された板状の部材である。舌片２３４ｃの先端部には、下方に向けて突出した鋸刃状断面の突出部２３４ｅが形成されており、この突出部２３４ｅの舌片２３４ｃ基端側の垂直面は係合部材２３２の当接面２３２ｄと当接する被当接面２３４ｆとなっている。また、舌片２３４ｃ基端の上方の外壁部２３４ｂには、突出部２３４ｅを成型するために必要な成型孔２３４ｇが形成されている。
【０１６８】
図１７（ａ）は図１５（ｂ）のＨ−Ｈ線断面図であり、図１７（ｂ）および（ｃ）は、図１５（ｂ）のＩ−Ｉ線断面図である。図１７（ａ）では、予め係合妨害部２３２ｅを除去した係合部材２３２と、被係合部材２３４がそれぞれ係合位置にある場合を示している。この場合、係合部材２３２の挿入部２３２ｂが被係合部材２３４の外壁部２３４ｂの内部に収容されると共に、挿入部２３２ｂ先端の先端部２３２ｄが被係合部材２３４の成型孔２３４ｇ内に収容された状態となっている。そして、被係合部材２３４の舌片２３４ｃ先端の突出部２３４ｅは、係合部材２３２の挿入部２３２ｂに形成された開口部２３２ｃの内部に嵌まり込んで係合した状態となっている。この状態では、被係合部材２３４を係合位置から離隔する方向（図の上方）に移動させようとしても、係合部材２３２の当接面２３２ｉと被係合部材２３４の被当接面２３４ｆが当接するため、被係合部材２３４を移動させることは、係合部材２３２または被係合部材２３４の少なくともいずれか一方を破壊しない限り不可能となっている。すなわち、基板ケース２００は封印構造２３０によって封印された状態となっている。
【０１６９】
また、係合部材２３２および被係合部材２３４がそれぞれ係合位置にある場合には、被係合部材２３４の外壁部２３４ｂ、係合部材２３２の基端部２３２ａおよび先端部２３２ｄによって遮蔽されているため、外部から挿入部２３２ｂまたは舌片２３４ｃに接触することは不可能となっている。
【０１７０】
なお、本実施例では、実施例１（図７参照）と異なり、舌片２３４ｃの弾性変形方向が封印構造２１０の外側方向（上蓋２０４の反対側に向かう方向）となっている。これは、不正な目的で外壁部２３４ｂの一部を破壊し、針金等で舌片２３４ｃを無理矢理弾性変形させようとした場合に、図７のように、舌片２３４ｃの弾性変形方向が封印構造２１０の内側方向（上蓋２０４に向かう方向）とすると、不正行為者は針金等で舌片２３４ｃを押すだけで封印を解除することが可能となる。しかし、本実施例の構成であれば、たとえ不正な目的で外壁部２３４ｂの一部を破壊したとしても、弾性変形方向が引く方向であるため、封印の解除を困難にすることができる。なお、本実施例の構成を実施例１に適用してもよい。
【０１７１】
一方、図１７（ｂ）では、係合妨害部２３２ｅを備える係合部材２３２と、被係合部材２３４がそれぞれ係合位置にある場合を示している。この場合にも、係合部材２３２の挿入部２３２ｂが被係合部材２３４の外壁部２３４ｂの内部に収容されると共に、挿入部２３２ｂ先端の先端部２３２ｄが被係合部材２３４の成型孔２３４ｇ内に収容された状態となっている。そして、被係合部材２３４の舌片２３４ｃ先端の突出部２３４ｅは、一部が係合妨害部２３２ｅの溝２３２ｆ内に収容された状態となっている。この状態から、被係合部材２３４を係合位置から離隔する方向（図の上方）に移動させると、突出部２３４ｅの先端が誘導面２３２ｈに当接し、誘導面２３２ｈに沿って被当接面２３４ｆから離れる方向（図の左方）に移動することとなる。換言すれば、係合妨害部２３２ｅの誘導面２３２ｈは、被係合部材２３４の移動に伴い、突出部２３４ｅを押圧して舌片２３４ｃを弾性変形させながら、被当接面２３４ｆを当接面２３２ｉと当接不可能な位置に誘導する。
【０１７２】
図１７（ｃ）は、被当接面２３４ｆを当接面２３２ｉと当接不可能な位置に誘導した後の状態を示している。この状態からさらに被係合部材２３４を係合位置から離隔する方向に移動させると、突出部２３４ｅは、舌片２３４ｃが弾性変形した状態のままで係合妨害部２３２ｅおよび接続部２３２ｆに沿って移動するため、係合部材２３２と被係合部材２３４を分離することができる。このように、本実施例では、係合部材２３２が係合妨害部２３２ｅを備えている場合には、係合部材２３２と被係合部材２３４は係合位置からそれぞれ離隔して分離可能であり、封印構造２３０による封印は行われないようになっている。
【０１７３】
本実施例では、基板ケース２００に３つの封印構造２３０を備え、これらのうち２つの封印構造２３０の係合部材２３２に係合妨害部２３２ｅを備えることで、２回の再封印を行うことを可能としている。図１８（ａ）〜（ｄ）は、再封印を行う手順を示した図である。これらの図においては、図の右側の封印構造２３０が予め係合妨害部２３２ｅが除去されたものであり、図の左側と中央の封印構造２３０は係合妨害部２３２ｅを備えるものとなっている。従って、最初に下蓋２０２と上蓋２０４を結合させたときには、図の右側の封印構造２３０の係合部材２３２と被係合部材２３４が係合することによって封印が行われる。この状態から、封印を解除する場合には、同図（ａ）に示されるように、図の右側の被係合部材２３４の脚部２３４ａをニッパ２３６等で切断する。これにより係合部材２３２と係合した被係合部材２３４が上蓋２０４から分離されることとなり、上蓋２０４を下蓋２０２から外すことができる。左側と中央の封印構造２３０では、係合部材２３２が係合妨害部２３２ｅを備えているため、同図（ｂ）に示されるように、被係合部材２３４は上蓋２０４と共に下蓋２０２から分離される。図の右側の封印構造２３０では、被係合部材２３４が係合部材２３２と係合したまま下蓋２０２に残存する。
【０１７４】
２回目の封印を行う場合には、まず、同図（ｃ）に示されるように、図の中央の係合部材２３２から係合妨害部２３２ｅを除去する。係合妨害部２３２ｅの除去は、ニッパ２３６等により２つの接続部２３２ｆを切断すればよい。接続部２３２ｆは、係合妨害部２３２ｅよりも断面積が小さく設定されているため、容易に切断することができる。係合妨害部２３２ｅを除去することによって、当接面２３２ｇが被係合部材２３４の被当接面２３４ｆと当接可能な状態となる。そして、同図（ｄ）に示されるように、下蓋２０２と上蓋２０４を再度結合させると、今度は図の中央の封印構造２３０において、係合部材２３２と被係合部材２３４が係合する。すなわち、図の中央の封印構造２３０によって封印が行われる。２回目の封印を解除した後、３回目の封印を行う場合には、図の左側の封印構造２３０の係合部材２３２の係合妨害部２３２ｅを除去すればよい。
【０１７５】
本実施例では、接続部２３２ｆを切断した後の切断面が当接面２３２ｇ以外の面に生じるようにしている。これにより、切断面の状態に影響されることなく、常に当接面２３２ｇと被当接面２３２ｆを適切に当接させることができる。
【０１７６】
なお、本実施例では、係合妨害部２３２ｅは係合部材２３２に形成されているが、本発明はこれに限定されるものではない。例えば係合妨害部２３２ｅを被係合部材２３４に形成するようにしてもよいし、係合妨害部２３２ｅを係合部材２３２および被係合部材２３４の両方に形成するようにしてもよい。
【０１７７】
また、本実施例では、係合妨害部２３２ｅは係合部材２３２に形成され、被係合部材２３４の一部と当接して被当接面２３４ｆを当接面２３２ｉと当接不可能な位置に誘導するものであるが、本発明はこれに限定されるものではなく、係合妨害部２３２ｅは、係合部材２３２に形成され、被係合部材２３４の一部と当接して当接面２３２ｉを被当接面２３４ｆと当接不可能な位置に誘導するものであってもよい。さらに、係合妨害部２３２ｅは、被係合部材２３４に形成され、係合部材２３２の一部と当接して当接面２３２ｉを被当接面２３４ｆと当接不可能な位置に誘導するものであってもよいし、被係合部材２３４に形成され、係合部材２３２の一部と当接して被当接面２３４ｆを当接面２３２ｉと当接不可能な位置に誘導するものであってもよい。
【０１７８】
以上説明したように、本実施例に係る封印構造２３０は、係合部材２３２は、当接面２３２ｉを備え、被係合部材２３４は、当接面２３２ｉと当接することで係合部材２３２および被係合部材２３４の係合の解除を不可能とする被当接面２３４ｆを備え、係合妨害部２３２ｅは、係合部材２３２および被係合部材２３４を係合位置から離隔させる場合に、係合部材２３２または被係合部材２３４の一部と当接することによって、少なくとも当接面２３２ｉまたは被当接面２３４ｆのいずれか一方を互いに当接不可能な位置に誘導するように形成されている。このため、複雑な機構や構造を採用することなく、シンプル且つ安価な構成で、必要な場合には確実に封印を行うと共に、不必要な場合には確実に封印を防止することができる。
【０１７９】
また、封印構造２３０では、封印を行わない場合に、係合部材２３２または被係合部材２３４の一部を常に弾性変形させておく必要がない。このため、封印を行わない状態が長期間続いた場合であっても、係合部材２３２または被係合部材２３４の一部が劣化して永久変形を起こし、封印が不可能または不完全となってしまうのを防ぐことができる。これにより封印構造２４０を構成する材質の選定の自由度を高めることができる。
【０１８０】
なお、係合妨害部２３２ｅは、係合部材２３２および被係合部材２３４を互いに離隔させる場合に、被係合部材２３４の一部と当接することによって被当接面２３４ｆを当接面２３２ｉと当接不可能な位置に誘導するように、係合部材２３２に形成されているのが好適である。
【０１８１】
また、係合妨害部２３２ｅは、係合部材２３２および被係合部材２３４を互いに離隔させる場合に、係合部材２３２の一部と当接することによって被当接面２３４ｆを当接面２３２ｉと当接不可能な位置に誘導するように、被係合部材２３４に形成されているものであってもよい。
【０１８２】
また、係合妨害部２３２ｅは、係合部材２３２に一体的に形成されていない別部材から構成されるものであってもよい。
【実施例３】
【０１８３】
次に、本発明の実施例３について説明する。本実施例に係るパチンコ機は、上記実施例１に係るパチンコ機１００に、封印構造２１０に代えて封印構造２４０を適用したものであり、その他の構造および処理は上記実施例１と同一である。このため、同一部分については図中において同じ符号を付すと共に、その説明は省略し、以下、封印構造２４０についてのみ説明する。
＜封印構造＞
【０１８４】
図１９（ａ）は基板ケース２００の正面図であり、同図（ｂ）は同図（ａ）のＫ部拡大図である。本実施例の基板ケース２００は、３つの封印構造２４０を備えており、３回の封印が可能となっている。封印構造２４０は、下蓋２０２の上部に一体的に形成された係合部材２４２、および上蓋２０４の上部に一体的に形成された被係合部材２４４から構成されている。下蓋２０２と上蓋２０４が結合した状態では、封印構造２４０の係合部材２４２は、被係合部材２４４の内部に大部分が挿入された状態となる。この状態では、係合部材２４２および被係合部材２４４は互いに係合可能な状態であり、本発明における係合位置にそれぞれ位置している。
【０１８５】
図２０（ａ）および（ｂ）は係合部材２４２の構造を示した図である。なお、図２０（ａ）は、図４（ａ）のＡ方向矢視図であり、図２０（ｂ）は図２０（ａ）の斜視図である。係合部材２４２は、下蓋２０２の上部から上方に向けて突設された基端部２４２ａと、基端部２４２ａから上蓋２０４側に向けて突設された挿入部２４２ｂから構成されている。基端部２４２ａは、下蓋２０２と一体的に繋がる板状の部材である。挿入部２４２ｂは、２つの略四角形状の開口部２４２ｃが形成された板状の部材である。挿入部２４２ｂの先端には、被係合部材２４４の開口部を塞ぐ略直方体状の先端部２４２ｄが突設されている。
【０１８６】
挿入部２４２ｂに形成された２つの開口部２４２ｃの間には、略直方体状の係合妨害部２４２ｅが形成されている。係合妨害部２４２ｅは、左右両側にそれぞれ形成された２つの接続部２４２ｆを介して挿入部２４２ｂと一体的に繋がっている。２つの接続部２４２ｆは、係合妨害部２４２ｅよりも細く（断面積を小さく）形成されている。係合妨害部２４２ｅの挿入部２４２ｂ基端側の側面には、斜面状に形成された誘導面２４２ｇが設けられている。また、２つの接続部２４２ｆの外側の開口部２４２ｃの側縁は、当接面２４２ｈとなっている。なお、本実施例では、図の右側の係合部材２４２は、予め係合妨害部２４２ｅが除去された状態となっている。
【０１８７】
図２０（ｃ）〜（ｅ）は被係合部材２４４の構造を示した図である。なお、図２０（ｃ）は図４（ａ）のＢ方向矢視図であり、図２０（ｄ）は図１９（ｂ）のＮ−Ｎ線断面図であり、図２０（ｅ）は図２０（ｄ）の斜視図である。被係合部材２４４は、上蓋２０４の上部に設けられた２つの脚部２４４ａと、脚部２４４ａの上方に設けられた外壁部２４４ｂと、外壁部２４４ｂの内部に設けられた舌片２４４ｃから構成されている。脚部２４４ａは上蓋２０４と一体的に繋がる短い棒状の部材であり、封印を解除する場合に切断される部分である。外壁部２４４ｂは、下蓋２０２側を開口した箱状の部材であり、この開口部分は係合部材２４２が挿入される挿入孔２４４ｄとなっている。舌片２４４ｃは、挿入孔２４４ｄの反対側の外壁部２４４ａ内面に突設された板状の部材である。舌片２４４ｃの先端部には、下方に向けて突出した鋸刃状断面の突出部２４４ｅが形成されており、この突出部２４４ｅの舌片２４４ｃ基端側の垂直面は係合部材２４２の当接面２４２ｄと当接する被当接面２４４ｆとなっている。また、舌片２４４ｃ基端の上方の外壁部２４４ｂには、突出部２４４ｅを成型するために必要な成型孔２４４ｇが形成されている。
【０１８８】
図２１（ａ）は図１９（ｂ）のＬ−Ｌ線断面図であり、図２１（ｂ）および（ｃ）は、図１９（ｂ）のＭ−Ｍ線断面図である。図２１（ａ）では、予め係合妨害部２４２ｅを除去した係合部材２４２と、被係合部材２４４がそれぞれ係合位置にある場合を示している。この場合、係合部材２４２の挿入部２４２ｂが被係合部材２４４の外壁部２４４ｂの内部に収容されると共に、挿入部２４２ｂ先端の先端部２４２ｄが被係合部材２４４の成型孔２４４ｇ内に収容された状態となっている。そして、被係合部材２４４の舌片２４４ｃ先端の突出部２４４ｅは、係合部材２４２の挿入部２４２ｂに形成された開口部２４２ｃの内部に嵌まり込んで係合した状態となっている。この状態では、被係合部材２４４を係合位置から離隔する方向（図の上方）に移動させようとしても、係合部材２４２の当接面２４２ｈと被係合部材２４４の被当接面２４４ｆが当接するため、被係合部材２４４を移動させることは、係合部材２４２または被係合部材２４４の少なくともいずれか一方を破壊しない限り不可能となっている。すなわち、基板ケース２００は封印構造２４０によって封印された状態となっている。
【０１８９】
また、係合部材２４２および被係合部材２４４がそれぞれ係合位置にある場合には、被係合部材２４４の外壁部２４４ｂ、係合部材２４２の基端部２４２ａおよび先端部２４２ｄによって遮蔽されているため、外部から挿入部２４２ｂまたは舌片２４４ｃに接触することは不可能となっている。
【０１９０】
一方、図２１（ｂ）では、係合妨害部２４２ｅを備える係合部材２４２と、被係合部材２４４がそれぞれ係合位置にある場合を示している。この場合にも、係合部材２４２の挿入部２４２ｂが被係合部材２４４の外壁部２４４ｂの内部に収容されると共に、挿入部２４２ｂ先端の先端部２４２ｄが被係合部材２４４の成型孔２４４ｇ内に収容された状態となっている。そして、被係合部材２４４の舌片２４４ｃ先端の突出部２４４ｅは、開口部２４２ｃの内部に嵌まり込んだ状態となっている。この状態から、被係合部材２４４を係合位置から離隔する方向（図の上方）に移動させると、突出部２４４ｅの先端が係合妨害部２４２ｅの誘導面２４２ｇに当接し、誘導面２４２ｇに沿って被当接面２４４ｆから離れる方向（図の左方）に移動することとなる。換言すれば、誘導面２４２ｇは、被係合部材２４４の移動に伴い、突出部２４４ｅを押圧して舌片２４４ｃを弾性変形させながら、被当接面２４４ｆを当接面２４２ｈと当接不可能な位置に誘導する。
【０１９１】
図２１（ｃ）は、被当接面２４４ｆを当接面２４２ｈと当接不可能な位置に誘導した後の状態を示している。この状態からさらに被係合部材２４４を係合位置から離隔する方向に移動させると、突出部２４４ｅは、舌片２４４ｃが弾性変形した状態のままで挿入部２４２ｂに沿って移動するため、係合部材２４２と被係合部材２４４を分離することができる。なお、挿入部２４２ｂの先端側に形成された開口部２４２ｃは舌片２４４ｃの幅より狭く設定されているため、（図２０（ａ）参照）、突出部２４４ｅはこの開口部２４２ｃ内には入らないようになっている。このように、本実施例では、係合部材２４２が係合妨害部２４２ｅを備えている場合には、係合部材２４２と被係合部材２４４は係合位置からそれぞれ離隔して分離可能であり、封印構造２４０による封印は行われないようになっている。
【０１９２】
本実施例では、基板ケース２００に３つの封印構造２４０を備え、これらのうち２つの封印構造２４０の係合部材２４２に係合妨害部２４２ｅを備えることで、２回の再封印を行うことを可能としている。図２２（ａ）〜（ｄ）は、再封印を行う手順を示した図である。これらの図においては、図の右側の封印構造２４０が予め係合妨害部２４２ｅが除去されたものであり、図の左側と中央の封印構造２４０は係合妨害部２４２ｅを備えるものとなっている。従って、最初に下蓋２０２と上蓋２０４を結合させたときには、図の右側の封印構造２４０の係合部材２４２と被係合部材２４４が係合することによって封印が行われる。この状態から、封印を解除する場合には、同図（ａ）に示されるように、図の右側の被係合部材２４４の脚部２４４ａをニッパ２４６等で切断する。これにより係合部材２４２と係合した被係合部材２４４が上蓋２０４から分離されることとなり、上蓋２０４を下蓋２０２から外すことができる。左側と中央の封印構造２４０では、係合部材２４２が係合妨害部２４２ｅを備えているため、同図（ｂ）に示されるように、被係合部材２４４は上蓋２０４と共に下蓋２０２から分離される。図の右側の封印構造２４０では、被係合部材２４４が係合部材２４２と係合したまま下蓋２０２に残存する。
【０１９３】
２回目の封印を行う場合には、まず、同図（ｃ）に示されるように、図の中央の係合部材２４２から係合妨害部２４２ｅを除去する。係合妨害部２４２ｅの除去は、ニッパ２４６等により２つの接続部２４２ｆを切断すればよい。接続部２４２ｆは、係合妨害部２４２ｅよりも断面積が小さく設定されているため、容易に切断することができる。係合妨害部２４２ｅを除去することによって、当接面２４２ｇが被係合部材２４４の被当接面２４４ｆと当接可能な状態となる。そして、同図（ｄ）に示されるように、下蓋２０２と上蓋２０４を再度結合させると、今度は図の中央の封印構造２４０において、係合部材２４２と被係合部材２４４が係合する。すなわち、図の中央の封印構造２４０によって封印が行われる。２回目の封印を解除した後、３回目の封印を行う場合には、図の左側の封印構造２４０の係合部材２４２の係合妨害部２４２ｅを除去すればよい。
【０１９４】
本実施例では、接続部２４２ｆを切断した後の切断面が当接面２４２ｈ以外の面に生じるようにしている。これにより、切断面の状態に影響されることなく、常に当接面２４２ｈと被当接面２４４ｆを適切に当接させることができる。また、接続部２４２ｆの側面が当接面２４２ｈから連続するように接続部２４２ｆを形成しているため、切断後に係合部材２４２に残存した接続部２４２ｆの側面が当接面２４２ｈの一部を構成するようになっている。これにより、当接面２４２ｈの面積が広がるため、係合部材２４２と被係合部材２４４の係合をより確実なものとすることができる。
【０１９５】
なお、本実施例では、係合妨害部２４２ｅは係合部材２４２に形成されているが、本発明はこれに限定されるものではない。例えば係合妨害部２４２ｅを被係合部材２４４に形成するようにしてもよいし、係合妨害部２４２ｅを係合部材２４２および被係合部材２４４の両方に形成するようにしてもよい。
【０１９６】
また、本実施例では、係合妨害部２４２ｅは係合部材２４２に形成され、被係合部材２４４の一部と当接して被当接面２４４ｆを当接面２４２ｈと当接不可能な位置に誘導するものであるが、本発明はこれに限定されるものではなく、係合妨害部２４２ｅは、係合部材２４２に形成され、被係合部材２４４の一部と当接して当接面２４２ｈを被当接面２４４ｆと当接不可能な位置に誘導するものであってもよい。さらに、係合妨害部２４２ｅは、被係合部材２４４に形成され、係合部材２４２の一部と当接して当接面２４２ｈを被当接面２４４ｆと当接不可能な位置に誘導するものであってもよいし、被係合部材２４４に形成され、係合部材２４２の一部と当接して被当接面２４４ｆを当接面２４２ｈと当接不可能な位置に誘導するものであってもよい。
【０１９７】
以上説明したように、本実施例に係る封印構造２４０は、係合部材２４２は、当接面２４２ｈを備え、被係合部材２４４は、当接面２４２ｈと当接することで係合部材２４２および被係合部材２４４の係合の解除を不可能とする被当接面２４４ｆを備え、係合妨害部２４２ｅは、係合部材２４２および被係合部材２４４を係合位置から離隔させる場合に、係合部材２４２または被係合部材２４４の一部と当接することによって、少なくとも当接面２４２ｈまたは被当接面２４４ｆのいずれか一方を互いに当接不可能な位置に誘導するように形成されている。このため、複雑な機構や構造を採用することなく、シンプル且つ安価な構成で、必要な場合には確実に封印を行うと共に、不必要な場合には確実に封印を防止することができる。
【０１９８】
また、封印構造２４０では、封印を行わない場合に、係合部材２４２または被係合部材２４４の一部を常に弾性変形させておく必要がない。このため、封印を行わない状態が長期間続いた場合であっても、係合部材２４２または被係合部材２４４の一部が劣化して永久変形を起こし、封印が不可能または不完全となってしまうのを防ぐことができる。これにより、封印構造２４０を構成する材質の選定の自由度を高めることができる。
【０１９９】
なお、係合妨害部２４２ｅは、係合部材２４２および被係合部材２４４を互いに離隔させる場合に、被係合部材２４４の一部と当接することによって、被当接面２４４ｆを当接面２４２ｈと当接不可能な位置に誘導するように、係合部材２４２に形成されているのが好適である。
【０２００】
また、係合妨害部２４２ｅは、係合部材２４２および被係合部材２４４を互いに離隔させる場合に、係合部材２４２の一部と当接することによって、被当接面２４４ｆを当接面２４２ｈと当接不可能な位置に誘導するように、被係合部材２４４に形成されているものであってもよい。
【実施例４】
【０２０１】
次に、本発明の実施例４について説明する。本実施例に係るパチンコ機は、上記実施例１に係るパチンコ機１００に、封印構造２１０に代えて封印構造２５０を適用したものであり、その他の構造および処理は上記実施例１と同一である。このため、同一部分については図中において同じ符号を付すと共に、その説明は省略し、以下、封印構造２５０についてのみ説明する。
＜封印構造＞
【０２０２】
図２３（ａ）は基板ケース２００の正面図であり、同図（ｂ）は同図（ａ）のＯ部拡大図である。本実施例の基板ケース２００は、３つの封印構造２５０を備えており、３回の封印が可能となっている。封印構造２５０は、下蓋２０２の上部に一体的に形成された係合部材２５２、および上蓋２０４の上部に一体的に形成された被係合部材２５４から構成されている。下蓋２０２と上蓋２０４が結合した状態では、封印構造２５０の係合部材２５２は、被係合部材２５４の内部に大部分が挿入された状態となる。この状態では、係合部材２５２および被係合部材２５４は互いに係合可能な状態であり、本発明における係合位置にそれぞれ位置している。
【０２０３】
図２４（ａ）および（ｂ）は係合部材２５２の構造を示した図である。なお、図２４（ａ）は、図４（ａ）のＡ方向矢視図であり、図２４（ｂ）は図２４（ａ）の斜視図である。係合部材２５２は、下蓋２０２の上部から上方に向けて突設された基端部２５２ａと、基端部２５２ａから上蓋２０４側に向けて突設された挿入部２５２ｂから構成されている。基端部２５２ａは、下蓋２０２と一体的に繋がる板状の部材である。挿入部２５２ｂは、略四角形状の開口部２５２ｃが形成された板状の部材である。挿入部２５２ｂの先端には、被係合部材２５４の開口部を塞ぐ略直方体状の先端部２５２ｄが突設されている。挿入部２５２ｂに形成された開口部２５２ｃの挿入部２５２ｂ先端側の側縁には、斜面を備えた誘導部２５２ｅが突設されている。誘導部２５２ｅの左右両側の開口部２５２ｃの側縁は、当接面２５２ｆとなっている。
【０２０４】
図２４（ｃ）〜（ｅ）は被係合部材２５４の構造を示した図である。なお、図２４（ｃ）は図４（ａ）のＢ方向矢視図であり、図２４（ｄ）は図２３（ｂ）のＲ−Ｒ線断面図であり、図２４（ｅ）は図２４（ｄ）の斜視図である。被係合部材２５４は、上蓋２０４の上部に設けられた２つの脚部２５４ａと、脚部２５４ａの上方に設けられた外壁部２５４ｂと、外壁部２５４ｂの内部に設けられた２つの舌片２５４ｃから構成されている。脚部２５４ａは上蓋２０４と一体的に繋がる短い棒状の部材であり、封印を解除する場合に切断される部分である。外壁部２５４ｂは、下蓋２０２側を開口した箱状の部材であり、この開口部分は係合部材２５２が挿入される挿入孔２５４ｄとなっている。２つの舌片２５４ｃは、挿入孔２５４ｄの反対側の外壁部２５４ａ内面に突設された棒状の部材である。この２つの舌片２５４ｃの間の距離は、係合部材２５２の誘導部２５２ｅの左右の幅よりもやや広く設定されている。舌片２５４ｃの先端部には、下方に向けて突出した鋸刃状断面の突出部２５４ｅが形成されており、この突出部２５４ｅの舌片２５４ｃ基端側の垂直面は係合部材２５２の当接面２５２ｄと当接する被当接面２５４ｆとなっている。２つの突出部２５４ｅの間には、２つの被当接面２５４ｆを接続するように両者と連続的に形成された板状の係合妨害部２５４ｇが設けられている。また、舌片２５４ｃ基端の上方の外壁部２５４ｂには、突出部２５４ｅおよび係合妨害部２５４ｇを成型するために必要な成型孔２５４ｈが形成されている。なお、本実施例では、図の左側の被係合部材２５４は、予め係合妨害部２５４ｇが除去された状態となっている。
【０２０５】
図２５（ａ）は図２３（ｂ）のＰ−Ｐ線断面図であり、図２５（ｂ）および（ｃ）は、図２３（ｂ）のＱ−Ｑ線断面図である。図２５（ａ）では、予め係合妨害部２５４ｇを除去した被係合部材２５４と、係合部材２５２がそれぞれ係合位置にある場合を示している。この場合、係合部材２５２の挿入部２５２ｂが被係合部材２５４の外壁部２５４ｂの内部に収容されると共に、挿入部２５２ｂ先端の先端部２５２ｄが被係合部材２５４の成型孔２５４ｈ内に収容された状態となっている。そして、被係合部材２５４の２つの舌片２５４ｃ先端の突出部２５４ｅは、係合部材２５２の開口部２５２ｃの内部にそれぞれ嵌まり込んで係合した状態となっている。この状態では、被係合部材２５４を係合位置から離隔する方向（図の上方）に移動させようとしても、係合部材２５２の当接面２５２ｆと被係合部材２５４の被当接面２５４ｆが当接するため、被係合部材２５４を移動させることは、係合部材２５２または被係合部材２５４の少なくともいずれか一方を破壊しない限り不可能となっている。すなわち、基板ケース２００は封印構造２５０によって封印された状態となっている。
【０２０６】
なお、この状態では、係合部材２５２の誘導部２５２ｅは２つの突出部２５４ｅの間に位置しているため、被係合部材２５４を移動させても被当接面２５４ｆと誘導部２５２ｅは接触しないようになっている。また、係合部材２５２および被係合部材２５４がそれぞれ係合位置にある場合には、被係合部材２５４の外壁部２５４ｂ、係合部材２５２の基端部２５２ａおよび先端部２５２ｄによって遮蔽されているため、外部から挿入部２５２ｂまたは舌片２５４ｃに接触することは不可能となっている。
【０２０７】
一方、図２５（ｂ）では、係合妨害部２５４ｇを備える被係合部材２５４と、係合部材２５２がそれぞれ係合位置にある場合を示している。この場合にも、係合部材２５２の挿入部２５２ｂが被係合部材２５４の外壁部２５４ｂの内部に収容されると共に、挿入部２５２ｂ先端の先端部２５２ｄが被係合部材２５４の成型孔２５４ｈ内に収容された状態となっている。そして、被係合部材２５４の２つの舌片２５４ｃ先端の突出部２５４ｅは、開口部２５２ｃの内部に嵌まり込んだ状態となっている。この状態から、被係合部材２５４を係合位置から離隔する方向（図の上方）に移動させると、係合妨害部２５４ｇが誘導部２５２ｇの斜面に当接し、誘導部２５２ｇの斜面に沿って被当接面２５４ｆから離れる方向（図の左方）に移動することとなる。これにより、２つの突出部２５４ｅも係合妨害部２５４ｇと共に被当接面２５４ｆから離れる方向（図の左方）に移動する。換言すれば、誘導部２５２ｇは、被係合部材２５４の移動に伴い、係合妨害部２５４ｇを押圧して舌片２５４ｃを弾性変形させながら、被当接面２５４ｆを当接面２５２ｆと当接不可能な位置に誘導する。
【０２０８】
図２５（ｃ）は、被当接面２５４ｆを当接面２５２ｆと当接不可能な位置に誘導した後の状態を示している。この状態からさらに被係合部材２５４を係合位置から離隔する方向に移動させると、突出部２５４ｅは、舌片２５４ｃが弾性変形した状態のままで挿入部２５２ｂに沿って移動するため、係合部材２５２と被係合部材２５４を分離することができる。このように、本実施例では、係合部材２５２が係合妨害部２５４ｇを備えている場合には、係合部材２５２と被係合部材２５４は係合位置からそれぞれ離隔して分離可能であり、封印構造２５０による封印は行われないようになっている。
【０２０９】
本実施例では、基板ケース２００に３つの封印構造２５０を備え、これらのうち２つの封印構造２５０の係合部材２５２に係合妨害部２５４ｇを備えることで、２回の再封印を行うことを可能としている。図２６（ａ）〜（ｅ）は、再封印を行う手順を示した図である。これらの図においては、図２６（ａ）、（ｂ）および（ｅ）の右側の封印構造２５０が予め係合妨害部２５４ｇが除去されたものであり、図の左側と中央の封印構造２５０は係合妨害部２５４ｇを備えるものとなっている。なお、図２６（ｃ）および（ｄ）は、図２６（ａ）、（ｂ）および（ｅ）の背面側から見た断面図であるため、左右の位置関係が逆になっている。
【０２１０】
最初に下蓋２０２と上蓋２０４を結合させたときには、同図（ａ）の右側の封印構造２５０の係合部材２５２と被係合部材２５４が係合することによって封印が行われる。この状態から、封印を解除する場合には、同図（ａ）に示されるように、図の右側の被係合部材２５４の脚部２５４ａをニッパ２５６等で切断する。これにより係合部材２５２と係合した被係合部材２５４が上蓋２０４から分離されることとなり、上蓋２０４を下蓋２０２から外すことができる。同図（ａ）の左側と中央の封印構造２５０では、被係合部材２５４が係合妨害部２５４ｇを備えているため、同図（ｂ）に示されるように、被係合部材２５４は上蓋２０４と共に下蓋２０２から分離される。同図（ｂ）の右側の封印構造２５０では、被係合部材２５４が係合部材２５２と係合したまま下蓋２０２に残存する。
【０２１１】
２回目の封印を行う場合には、まず、同図（ｃ）および（ｄ）に示されるように、図の中央の被係合部材２５４からニッパ２５６等により係合妨害部２５４ｇを除去する。係合妨害部２５４ｇを除去することによって、被当接面２５４ｆが係合部材２５２の被当接面２５２ｆと当接可能な状態となる。そして、同図（ｅ）に示されるように、下蓋２０２と上蓋２０４を再度結合させると、今度は図の中央の封印構造２５０において、係合部材２５２と被係合部材２５４が係合する。すなわち、図の中央の封印構造２５０によって封印が行われる。２回目の封印を解除した後、３回目の封印を行う場合には、図の左側の封印構造２５０の被係合部材２５４の係合妨害部２５４ｇを除去すればよい。
【０２１２】
本実施例では、係合妨害部２５４ｇを切断した後の切断面が被当接面２５４ｆ以外の面に生じるようにしている。これにより、切断面の状態に影響されることなく、常に当接面２５２ｆと被当接面２５４ｆを適切に当接させることができる。また、係合妨害部２５４ｇの側面が被当接面２５４ｆから連続するように係合妨害部２５４ｇを形成しているため、切断後に被係合部材２５４に残存した係合妨害部２５４ｇの側面が被当接面２５４ｆの一部を構成するようになっている。これにより、被当接面２５４ｆの面積が広がるため、係合部材２５２と被係合部材２５４の係合をより確実なものとすることができる。
【０２１３】
なお、本実施例では、係合妨害部２５４ｇが被係合部材２５４に形成され、誘導部２５２ｅが係合部材２５２に形成されているが、本発明はこれに限定されるものではない。例えば係合妨害部２５４ｇを係合部材２５２に形成し、誘導部２５２ｅを被係合部材２５４に形成するようにしてもよいし、係合妨害部２５４ｇおよび誘導部２５２ｅを係合部材２５２および被係合部材２５４の両方に形成するようにしてもよい。
【０２１４】
また、本実施例では、誘導部２５２ｅは係合部材２５２に形成され、被係合部材２５４に形成された係合妨害部２５４ｇと当接して被当接面２５４ｆを当接面２５２ｆと当接不可能な位置に誘導するものであるが、本発明はこれに限定されるものではなく、誘導部２５２ｅは、係合部材２５２に形成され、被係合部材２５４に形成された係合妨害部２５４ｇと当接して当接面２５２ｆを被当接面２５４ｆと当接不可能な位置に誘導するものであってもよい。さらに、誘導部２５２ｅは、被係合部材２５４に形成され、係合部材２５２に形成された係合妨害部２５４ｇと当接して当接面２５２ｆを被当接面２５４ｆと当接不可能な位置に誘導するものであってもよいし、被係合部材２５４に形成され、係合部材２５２に形成された係合妨害部２５４ｇと当接して被当接面２５４ｆを当接面２５２ｆと当接不可能な位置に誘導するものであってもよい。
【０２１５】
以上説明したように、本実施例に係る封印構造２５０は、係合部材２５２は、当接面２５２ｆを備え、被係合部材２５４は、当接面２５２ｆと当接することで係合部材２５２および被係合部材２５４の係合の解除を不可能とする被当接面２５４ｆを備え、少なくとも係合部材２５２または被係合部材２５４のいずれか一方には、係合妨害部２５４ｇが形成され、係合部材２５２または被係合部材２５４のいずれか他方には、係合部材２５２および被係合部材２５４を係合位置から離隔させる場合に、係合妨害部２５４ｇと当接することによって当接面２５２ｆまたは被当接面２５４ｆを互いに当接不可能な位置に誘導する誘導部２５２ｅが形成されている。このため、複雑な機構や構造を採用することなく、シンプル且つ安価な構成で、必要な場合には確実に封印を行うと共に、不必要な場合には確実に封印を防止することができる。
【０２１６】
また、封印構造２５０では、封印を行わない場合に、係合部材２５２または被係合部材２５４の一部を常に弾性変形させておく必要がない。このため、封印を行わない状態が長期間続いた場合であっても、係合部材２５２または被係合部材２５４の一部が劣化して永久変形を起こし、封印が不可能または不完全となってしまうのを防ぐことができる。これにより、封印構造２５０を構成する材質の選定の自由度を高めることができる。
【０２１７】
なお、封印構造２５０は、係合妨害部２５４ｇは、被係合部材２５４に形成され、誘導部２５２ｅは、係合部材２５２および被係合部材２５４を係合位置から離隔させる場合に、係合妨害部２５４ｇと当接することによって、被当接面２５４ｆを当接面２５２ｆと当接不可能な位置に誘導するように、係合部材２５２に形成されているのが好適である。
【０２１８】
また、封印構造２５０は、係合妨害部２５４ｇは、係合部材２５２に形成され、誘導部２５２ｅは、係合部材２５２および被係合部材２５４を係合位置から離隔させる場合に、係合妨害部２５４ｇと当接することによって、当接面２５２ｆを被当接面２５４ｆと当接不可能な位置に誘導するように、被係合部材２５４に形成されているものであってもよい。
【０２１９】
以上、本発明の実施の形態について説明してきたが、本発明に係る封印構造は、上記した実施の形態に限定されるものではなく、本発明の要旨を逸脱しない範囲内において種々の変形や変更を施すことができることはいうまでもない。例えば、上記各実施例で説明した封印構造２１０〜２４０は、主制御基板１９２を収納した基板ケース２００だけではなく、払出制御基板１９６、演出制御部３５０を構成する演出制御基板１９０その他の基板を収納するケースを封印するのに用いてもよい。
【０２２０】
また、本発明に係る封印構造を、アレンジボール遊技機、じゃん球遊技機、スマートボール、またはスロットマシン等のその他の遊技台に適用してもよい。本発明に係る封印構造は、例えば、図２７に示す複数種類の図柄が施され、回転駆動される複数のリールと、リールの回転を指示するためのスタートレバーと、各々のリールに対応して設けられ、リールの回転を個別に停止させるための停止ボタンと、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理）と、をさらに備えたスロットマシン６００において、回路基板を収納した基板ケースを封印するのにも好適である。特に、抽選手段、リール停止制御手段および判定手段等を構成する主制御基板、遊技の演出を制御する副制御部を構成する副制御基板、ならびに払出制御手段を構成する払出制御基板等を収納したケースを封印するのに好適である。
【０２２１】
また、本発明に係る封印構造は、回路基板を収納したケースの封印だけではなく、その他の部品や部材等の封印に用いてもよい。例えば、本発明に係る封印構造は、スロットマシンやパチンコ機等の遊技台から、回路基板を収納した基板ケースが取り外されるのを封印するのにも好適である。図２８は、本発明に係る封印構造を遊技台からの基板ケースの取り外しの封印に用いた例を示した図である。この例では、封印構造２６０は、回路基板を収納した基板ケース６１０に一体的に形成された係合部材２６２と、遊技台６１２の筺体６１４（または筺体６１４に固定されたブラケット等）に一体的に形成された被係合部材２６４から構成されている。この例では、４つの封印構造２６０が設けられており、４回の封印が可能となっている。封印構造２６０の構造は、上記各実施例で説明した封印構造２１０〜２４０と同様であるため説明は省略する。この例では、係合部材２６２を被係合部材２６４内に挿入して基板ケース６１０を筺体６１４に取り付けた場合に、係合部材２６２および被係合部材２６４が互いに係合可能な係合位置にそれぞれ位置するようになっている。そして、係合妨害部を除去された封印構造２６０によって筺体６１４からの基板ケース６１０の取り外しが封印される。
【０２２２】
なお、係合部材２６２は、基板ケース６１０と一体的に形成されていなくてもよい。また、係合部材２６２は、複数の基板を被覆するカバー部材、遊技盤または筐体などの遊技部品に取り付けられた板金部材等、いずれの部材に設けられるものであってもよい。
【０２２３】
また、本発明に係る封印構造を、遊技台以外の他の様々な装置において、回路基板上に配設された電子部品、またはその他の部分に配設された機械部品や各種部材等の封印のための封印構造として使用することもできる。
【０２２４】
例えば、本発明に係る封印構造は、基板に装着されたＲＯＭ等の電子部品を封印するのにも好適である。図２９は、本発明に係る封印構造を電子部品の封印に用いた例を示した図である。この例では、ＲＯＭ６２０が回路基板６２２に固定されたソケット６２４にリードを差し込まれて装着されている。そして、ＲＯＭ６２０を封印するための封印蓋６２６がＲＯＭ６２０の上方に配設される。封印構造２７０は、封印蓋６２６に一体的に形成された係合部材２７２と、回路基板６２２に固定（または一体的に形成）された被係合部材２７４から構成され、封印蓋６２６を回路基板６２２から離隔不可能とするように設けられている。この例では、４つの封印構造２７０が設けられており、４回の封印が可能となっている。封印構造２７０の構造は、上記各実施例で説明した封印構造２１０〜２４０と同様であるため説明は省略する。この例では、係合部材２７２を被係合部材２７４内に挿入して封印蓋６２６をＲＯＭ６２０の上方に配置した場合に、係合部材２７２および被係合部材２７４が互いに係合可能な係合位置にそれぞれ位置するようになっている。そして、係合妨害部を除去された封印構造２７０によってソケット６２４からのＲＯＭ６２０の取り外しが封印される。
【０２２５】
また、本発明に係る封印構造は、基板に配線を接続するためのコネクタを封印するのにも好適である。図３０は、本発明に係る封印構造をコネクタの封印に用いた例を示した図である。この例では、コネクタ６３０は、回路基板６３２に固定されたソケット６３４と、図示を省略した配線の先端に設けられたヘッダ６３８から構成されている。そして、コネクタ６３０を封印するためのコネクタカバー６４０がコネクタ６３０を覆うようにして配設される。コネクタカバー６４０は、コネクタ６３０を内部に収容可能に構成された第１カバー部材６４２と、第１カバー部材６４２と組み合わされる第２カバー部材６４４から構成されている。封印構造２８０は、第１コネクタカバー６４２に一体的に形成された係合部材２８２と、第２コネクタカバー６４４に一体的に形成された被係合部材２８４から構成され、第１コネクタカバー６４２と第２コネクタカバー６４４を分離不可能とするように設けられている。この例では、２つの封印構造２８０が設けられており、２回の封印が可能となっている。封印構造２８０の構造は、上記各実施例で説明した封印構造２１０〜２４０と同様であるため説明は省略する。この例では、係合部材２８２を被係合部材２８４内に挿入して第１コネクタカバー６４２と第２コネクタカバー６４４を結合した場合に、係合部材２８２および被係合部材２８４が互いに係合可能な係合位置にそれぞれ位置するようになっている。そして、係合妨害部を除去された封印構造２８０によってソケット６３４からのヘッダ６３８の取り外しが封印される。
【０２２６】
なお、本発明の実施例に記載された作用および効果は、本発明から生じる最も好適な作用および効果を列挙したに過ぎず、本発明による作用および効果は、本発明の実施例に記載されたものに限定されるものではない。
【産業上の利用可能性】
【０２２７】
本発明は、各種部品や部材等の封印の分野で特に利用することができる。
【図面の簡単な説明】
【０２２８】
【図１】本発明の実施例１に係るパチンコ機１００を正面から見た状態を示す略示正面図である。
【図２】パチンコ機１００を背面（遊技島側）から見た状態を示した外観斜視図である。
【図３】（ａ）は実施例１に係る基板ケース２００の外観斜視図であり、（ｂ）は基板ケース２００の分解斜視図である。
【図４】（ａ）および（ｂ）下蓋２０２と上蓋２０４を結合させる様子を示した図である。
【図５】（ａ）は基板ケース２００の正面図であり、（ｂ）は（ａ）のＣ部拡大図である。
【図６】（ａ）および（ｂ）は係合部材２１２の構造を示した図であり、（ｃ）〜（ｅ）は被係合部材２１４の構造を示した図である。
【図７】（ａ）は図５（ｂ）のＥ−Ｅ線断面図であり、（ｂ）および（ｃ）は図５（ｂ）のＦ−Ｆ線断面図である。
【図８】（ａ）〜（ｄ）再封印を行う手順を示した図である。
【図９】電子部品封印構造２２０の構造を示した分解斜視図である。
【図１０】（ａ）は特図の停止表示態様の一例を示した図であり、（ｂ）は装飾図柄の一例を示した図であり、（ｃ）は普図の停止表示態様の一例を示した図である。
【図１１】主制御部３００、演出制御部３５０、払出制御部４００、発射制御部４５０、および電源管理部５００の回路ブロック図である。
【図１２】（ａ）は大当たり判定テーブルの一例を示した図であり、（ｂ）は大当たり時の特図選択テーブルの一例を示した図であり、（ｃ）はタイマ番号決定テーブルの一例を示した図である。
【図１３】主制御部リセット割り込み処理の流れを示すフローチャートである。
【図１４】主制御部タイマ割り込み処理の流れを示すフローチャートである。
【図１５】（ａ）は実施例２に係る基板ケース２００の正面図であり、（ｂ）は（ａ）のＧ部拡大図である。
【図１６】（ａ）および（ｂ）は係合部材２３２の構造を示した図であり、（ｃ）〜（ｅ）は被係合部材２３４の構造を示した図である。
【図１７】（ａ）は図１５（ｂ）のＨ−Ｈ線断面図であり、（ｂ）および（ｃ）は図１５（ｂ）のＩ−Ｉ線断面図である。
【図１８】（ａ）〜（ｄ）は、再封印を行う手順を示した図である。
【図１９】（ａ）は実施例３に係る基板ケース２００の正面図であり、（ｂ）は（ａ）のＫ部拡大図である。
【図２０】（ａ）および（ｂ）は係合部材２４２の構造を示した図であり、（ｃ）〜（ｅ）は被係合部材２４４の構造を示した図である。
【図２１】（ａ）は図１９（ｂ）のＬ−Ｌ線断面図であり、（ｂ）および（ｃ）は図１９（ｂ）のＭ−Ｍ線断面図である。
【図２２】（ａ）〜（ｄ）は、再封印を行う手順を示した図である。
【図２３】（ａ）は実施例４に係る基板ケース２００の正面図であり、（ｂ）は（ａ）のＯ部拡大図である。
【図２４】（ａ）および（ｂ）は係合部材２５２の構造を示した図であり、（ｃ）〜（ｅ）は被係合部材２５４の構造を示した図である。
【図２５】（ａ）は図２３（ｂ）のＰ−Ｐ線断面図であり、（ｂ）および（ｃ）は図２３（ｂ）のＱ−Ｑ線断面図である。
【図２６】図２６（ａ）〜（ｅ）は、再封印を行う手順を示した図である。
【図２７】スロットマシン６００を示した図である。
【図２８】本発明に係る封印構造を遊技台の筺体からの基板ケースの取り外しの封印に用いた例を示した図である。
【図２９】本発明に係る封印構造を電子部品の封印に用いた例を示した図である。
【図３０】本発明に係る封印構造をコネクタの封印に用いた例を示した図である。
【符号の説明】
【０２２９】
１００・・・パチンコ機
１９２・・・主制御基板
２００、６１０・・・基板ケース
２１０、２３０、２４０、２５０、２６０、２７０、２８０・・・封印構造
２１２、２３２、２４２、２５２、２６２、２７２、２８２・・・係合部材
２１２ａ、２３２ａ、２４２ａ、２５２ａ・・・基端部
２１２ｄ、２３２ｄ、２４２ｄ、２５２ｄ・・・先端部
２１２ｅ、２３２ｅ、２４２ｅ、２５４ｇ・・・係合妨害部
２１２ｆ、２３２ｆ、２４２ｆ・・・接続部
２１２ｇ、２３２ｉ、２４２ｈ、２５２ｆ・・・当接面
２１４、２３４、２４４、２５４、２６４、２７４、２８４・・・被係合部材
２１４ｂ、２３２ｂ、２４２ｂ、２５２ｂ・・・外壁部
２１４ｄ、２３２ｄ、２４２ｄ、２５２ｄ・・・挿入孔
２１４ｆ、２３４ｆ、２４４ｆ、２５４ｆ・・・被当接面
２１４ｇ、２３４ｇ、２４４ｇ、２５４ｈ・・・成型孔
２５２ｅ・・・誘導部
６００・・・スロットマシン
６２０・・・ＲＯＭ
６３０・・・コネクタ
【図１】
2009195508.tif 000003
【図２】
2009195508.tif 000004
【図３】
2009195508.tif 000005
【図４】
2009195508.tif 000006
【図５】
2009195508.tif 000007
【図６】
2009195508.tif 000008
【図７】
2009195508.tif 000009
【図８】
2009195508.tif 000010
【図９】
2009195508.tif 000011
【図１０】
2009195508.tif 000012
【図１１】
2009195508.tif 000013
【図１２】
2009195508.tif 000014
【図１３】
2009195508.tif 000015
【図１４】
2009195508.tif 000016
【図１５】
2009195508.tif 000017
【図１６】
2009195508.tif 000018
【図１７】
2009195508.tif 000019
【図１８】
2009195508.tif 000020
【図１９】
2009195508.tif 000021
【図２０】
2009195508.tif 000022
【図２１】
2009195508.tif 000023
【図２２】
2009195508.tif 000024
【図２３】
2009195508.tif 000025
【図２４】
2009195508.tif 000026
【図２５】
2009195508.tif 000027
【図２６】
2009195508.tif 000028
【図２７】
2009195508.tif 000029
【図２８】
2009195508.tif 000030
【図２９】
2009195508.tif 000031
【図３０】
2009195508.tif 000032